(57)【要約】      （修正有）【課題】写真シール作成装置の稼働率を維持しつつ、ユーザが所望の画像を取得することができる写真シール遊戯システムを提供する。【解決手段】写真シール作成装置１は、ユーザの写真を撮影し、写真に基づく送信画像を画像提供サーバ６０１に送信する。画像提供サーバ６０１は、ユーザからの要求に対して、送信画像を用いて提供画像を編集するための編集画面を提供する。画像提供サーバ６０１は、編集画面に対してなされたユーザによるユーザ指示を受け付け、ユーザ指示に応じて、送信画像を用いて提供画像を編集し、編集された提供画像をユーザに提供する。ユーザは、画像提供サーバ６０１と通信可能な携帯端末７０１ａ，７０１ｂを用いて、提供画像を編集するためのユーザ指示を行うことができる。【選択図】図１
2015011190.tif 000002
【特許請求の範囲】
【請求項１】
撮影した写真を利用してシールを作成する写真シール作成装置と、前記写真シール作成装置と通信可能な画像処理装置とを含む写真シール遊戯システムであって、
前記写真シール作成装置は、
ユーザの写真を撮影する撮影手段と、
前記撮影手段により撮影された写真に基づく送信画像を前記画像処理装置に送信する送信手段とを備え、
前記画像処理装置は、
前記ユーザからの要求に対して、前記送信画像を用いて提供画像を編集するための編集画面を提供する画面提供手段と、
前記画面提供手段により提供された編集画面に対してなされた前記ユーザによるユーザ指示を受け付ける受付手段と、
前記受付手段により受け付けられたユーザ指示に応じて、前記送信画像を用いて前記提供画像を編集する編集手段と、
前記編集手段により編集された提供画像をユーザに提供する画像提供手段とを備える、写真シール遊戯システム。
【請求項２】
前記画面提供手段は、前記編集画面に前記画像提供手段により提供される前記提供画像のプレビュー表示を含める、請求項１に記載の写真シール遊戯システム。
【請求項３】
前記送信手段は、前記送信画像とともに、その送信画像の種類を含む属性情報を前記画像処理装置に送信し、
前記画面提供手段は、前記送信画像の種類に基づいて前記編集画面を提供する、請求項１又は２に記載の写真シール遊戯システム。
【請求項４】
前記送信手段は、前記送信画像と共に、その送信画像に対応するプレイ時にユーザにより入力された名前情報を前記画像処理装置に送信し、
前記編集手段は、前記送信画像及び前記名前情報を用いて前記提供画像を編集する、請求項１から３のいずれかに記載の写真シール遊戯システム。
【請求項５】
前記受付手段は、前記送信手段により送信された名前情報を変更するためのユーザ指示を受け付け、
前記編集手段は、前記ユーザ指示に基づいて前記送信手段により送信された名前情報を変更し、変更後の名前情報を用いて前記提供画像を編集する、請求項４に記載の写真シール遊戯システム。
【請求項６】
前記画面提供手段は、前記提供画像に用いられる複数のテンプレート画像の選択画面を前記編集画面に含め、
前記編集手段は、前記複数のテンプレート画像のうち前記ユーザ指示により選択されたテンプレート画像を用いて前記提供画像を編集する、請求項１から５のいずれかに記載の写真シール遊戯システム。
【請求項７】
前記画面提供手段は、前記送信画像のうち前記提供画像に表示させる領域を指定するためのトリミング画面を前記編集画面に含め、
前記編集手段は、前記送信画像のうち前記トリミング画面について行われた前記ユーザ指示に応じて、前記提供画像を編集する、請求項１から６のいずれかに記載の写真シール遊戯システム。
【発明の詳細な説明】
【技術分野】
【０００１】
この発明は写真シール遊戯システムに関し、特に、利用者を撮影して得られた画像を画像提供サーバに送信して利用できる写真シール遊戯システムに関する。
【背景技術】
【０００２】
ゲームセンタなどに設置され、装置利用者（ユーザ）の写真を撮影し、その画像に対してユーザが画像の編集（落書き）を行った後に、それをシールなどのプリント物として提供する写真シール作成装置が知られている。
【０００３】
このような写真シール作成装置と、通信可能に接続された画像提供サーバで写真シール遊戯システムを構成し、写真シール作成装置と画像提供サーバと共に連携して機能を提供するものがある。写真シール遊戯システムでは、利用者を撮影して得られた画像を写真シール作成装置から画像提供サーバに送信させ、その画像を画像提供サーバを介して利用できるようにユーザに提供するものがある。例えば、画像提供サーバに送信された画像は、ユーザの携帯端末などを利用して、ユーザに画像データとして提供される。
【０００４】
なお、下記特許文献１には、利用者を被写体として撮影した撮影画像の所定の領域を携帯用撮影画像として抽出し携帯用合成画像を作成する写真シール作成装置が開示されている。この装置では、アスペクト比が異なる複数種類のトリミング枠のうちいずれかを選択することでそのアスペクト比で画像をトリミングし、その携帯用撮影画像と合成用画像とを合成することにより、携帯用合成画像を作成できる。携帯用合成画像像は、ユーザにより入力されたメールアドレスあてに写真シール作成装置から送信される。
【先行技術文献】
【特許文献】
【０００５】
【特許文献１】特開２０１０−１５４４５２号公報
【発明の概要】
【発明が解決しようとする課題】
【０００６】
ところで、近年、ユーザの間で、いわゆるスマートフォンなどの高機能な携帯端末が普及しており、そのような携帯端末を利用して知人と画像を交換したり、自身のウェブログやソーシャル・ネットワーキング・サービス（ＳＮＳ）などに画像を表示させたりすることが流行している。
【０００７】
写真シール作成装置を利用して、上述のように携帯端末等で取得できる画像を容易に生成できると、便利である。特許文献１に記載されているような写真シール作成装置では、撮影した写真についてその写真シール作成装置で編集を行い、画像を作成することが可能である。しかしながら、写真シール作成装置でこのような編集機能を提供する場合、編集のためにユーザが利用できる編集時間が制限されるという問題がある。すなわち、写真シール作成装置の稼働率（単位時間当たりの利用するユーザの数）を高く確保するためには、編集時間を短めに制限する必要がある。しかしながら、編集時間が短いと、ユーザが所望のとおりに画像を編集することができず、ユーザの満足度が低くなってしまう。特に、撮影した画像に「落書き」を合成して写真シールを作成するプレイ中に、携帯端末で取得するための画像を編集する場合には、このように限られた編集時間内で満足のいく画像を作成できないという問題がより顕著になる。
【０００８】
この発明はそのような問題点を解決するためになされたものであり、写真シール作成装置の稼働率を維持しつつ、ユーザが所望の画像を取得することができる写真シール遊戯システムを提供することを目的としている。
【課題を解決するための手段】
【０００９】
上記目的を達成するためこの発明のある局面に従うと、撮影した写真を利用してシールを作成する写真シール作成装置と、写真シール作成装置と通信可能な画像処理装置とを含む写真シール遊戯システムは、写真シール作成装置が、ユーザの写真を撮影する撮影手段と、撮影手段により撮影された写真に基づく送信画像を画像処理装置に送信する送信手段とを備え、画像処理装置が、ユーザからの要求に対して、送信画像を用いて提供画像を編集するための編集画面を提供する画面提供手段と、画面提供手段により提供された編集画面に対してなされたユーザによるユーザ指示を受け付ける受付手段と、受付手段により受け付けられたユーザ指示に応じて、送信画像を用いて提供画像を編集する編集手段と、編集手段により編集された提供画像をユーザに提供する画像提供手段とを備える。
【００１０】
好ましくは、画面提供手段は、編集画面に画像提供手段により提供される提供画像のプレビュー表示を含める。
【００１１】
好ましくは、送信手段は、送信画像とともに、その送信画像の種類を含む属性情報を画像処理装置に送信し、画面提供手段は、送信画像の種類に基づいて編集画面を提供する。
【００１２】
好ましくは、送信手段は、送信画像と共に、その送信画像に対応するプレイ時にユーザにより入力された名前情報を画像処理装置に送信し、編集手段は、送信画像及び名前情報を用いて提供画像を編集する。
【００１３】
好ましくは、受付手段は、送信手段により送信された名前情報を変更するためのユーザ指示を受け付け、編集手段は、ユーザ指示に基づいて送信手段により送信された名前情報を変更し、変更後の名前情報を用いて提供画像を編集する。
【００１４】
好ましくは、画面提供手段は、提供画像に用いられる複数のテンプレート画像の選択画面を編集画面に含め、編集手段は、複数のテンプレート画像のうちユーザ指示により選択されたテンプレート画像を用いて提供画像を編集する。
【００１５】
好ましくは、画面提供手段は、送信画像のうち提供画像に表示させる領域を指定するためのトリミング画面を編集画面に含め、編集手段は、送信画像のうちトリミング画面について行われたユーザ指示に応じて、提供画像を編集する。
【発明の効果】
【００１６】
これらの発明に従うと、画像処理装置は、提供画像を編集するための編集画面に対してなされたユーザによるユーザ指示を受け付け、ユーザ指示に応じて、送信画像を用いて提供画像を編集する。したがって、写真シール作成装置の稼働率を維持しつつ、ユーザが所望の画像を取得することができる写真シール遊戯システムを提供することができる。
【図面の簡単な説明】
【００１７】
【図１】本発明の実施の形態の１つにおける写真シール遊戯システムのネットワーク接続例を示す図である。
【図２】写真シール作成装置のハードウェア構成を示す側面図である。
【図３】写真シール作成装置のハードウェア構成を示す平面図である。
【図４】写真シール作成装置を用いたプレイを示すフローチャートである。
【図５】写真シール作成装置の前部筐体を示す斜視図である。
【図６】写真シール作成装置の背部筐体を示す斜視図である。
【図７】写真シール作成装置の編集出力装置を示す斜視図である。
【図８】写真シール作成装置の制御に関する構成を説明するブロック図である。
【図９】写真シール作成装置の基本的動作の一例を示すフローチャートである。
【図１０】ユーザのプレイ時における写真シール作成装置とサーバとの動作を大まかに示すシーケンス図である。
【図１１】外部モニタ受け付けのプレイ時の流れについて説明するフローチャートである。
【図１２】撮影のプレイ時の流れについて説明するフローチャートである。
【図１３】落書き受け付けのプレイ時の流れについて説明する第１のフローチャートである。
【図１４】落書き受け付けのプレイ時の流れについて説明する第２のフローチャートである。
【図１５】送信画像選択画面の一例を示す図である。
【図１６】提供画像作成機能により作成される画像の例を示す図である。
【図１７】テンプレートの一例を示す図である。
【図１８】テンプレートについて管理されている情報について説明する図である。
【図１９】提供画像作成機能が開始されるまでの携帯端末の表示画面の遷移を説明する第１の図である。
【図２０】提供画像作成機能が開始されるまでの携帯端末の表示画面の遷移を説明する第２の図である。
【図２１】提供画像作成機能を示す状態図である。
【図２２】編集画面を示す第１の図である。
【図２３】編集画面に表示する写真画像について説明する図である。
【図２４】編集画面を示す第２の図である。
【図２５】位置調整ボタンが操作されたときの編集画面を示す図である。
【図２６】編集画面を示す第３の図である。
【図２７】編集画面を示す第４の図である。
【図２８】画像追加ボタンが操作されたときの編集画面を示す図である。
【図２９】編集画面を示す第５の図である。
【図３０】編集画面を示す第６の図である。
【図３１】編集画面を示す第７の図である。
【図３２】編集モードに入った編集画面を示す図である。
【図３３】位置調整を行うための編集画面の一例を示す図である。
【図３４】第２の実施の形態における編集画面を示す第１の図である。
【図３５】第２の実施の形態における編集画面を示す第２の図である。
【図３６】第２の実施の形態における編集画面を示す第３の図である。
【図３７】第２の実施の形態における編集画面を示す第４の図である。
【図３８】第２の実施の形態における編集画面を示す第５の図である。
【図３９】第２の実施の形態における編集画面を示す第６の図である。
【図４０】第２の実施の形態における編集画面を示す第７の図である。
【図４１】第２の実施の形態における編集画面を示す第８の図である。
【図４２】第２の実施の形態における編集画面を示す第９の図である。
【図４３】おまけ画像の形状例について説明する図である。
【図４４】第３の実施の形態において提供画像作成機能が開始されるまでの携帯端末の表示画面の遷移を説明する図である。
【図４５】第３の実施の形態における編集画面を示す図である。
【発明を実施するための形態】
【００１８】
以下、本発明の実施の形態における写真シール作成装置を用いた、写真シール遊戯システムの一例について説明する。
【００１９】
写真シール遊戯システムは、写真シール作成装置と、画像提供サーバ（画像処理装置の一例）とで構成されている。画像提供サーバは、写真シール作成装置からユーザの電子メールアドレス（以下、単にメールアドレスということがある。）や画像を取得する。そして、メールアドレスを用いて電子メールでユーザに連絡し、各ユーザに対して画像を提供することができる。
【００２０】
［実施の形態］
【００２１】
図１は、本発明の実施の形態の１つにおける写真シール遊戯システムのネットワーク接続例を示す図である。
【００２２】
写真シール作成装置１は、画像提供サーバ（以下、単にサーバということがある）６０１や携帯端末装置（以下、携帯端末ということがある）７０１（７０１ａ，７０１ｂ）などと共に、写真シール遊戯システム９０１を構成する。写真シール作成装置１は、例えばゲームセンタなど、様々な店舗に設置されている。サーバ６０１は、例えば、データセンタで管理されている。携帯端末７０１は、例えば、写真シール作成装置１でプレイするユーザ（プレイヤ）が所有するものである。写真シール遊戯システム９０１の各装置は、例えば、インターネットなどのネットワーク８０１に接続されている。これにより、写真シール作成装置１や携帯端末７０１は、ネットワーク８０１を介して、サーバ６０１と通信可能である。
【００２３】
画像提供サーバ６０１は、一般的なハードウェア構成を有する電子計算機であり、通信部６０３と、記憶部６０５と、装置の各部を制御する制御部６５０などを有している。通信部６０３は、ＬＡＮ（構内情報通信網）などを経由して、サーバ６０１をネットワーク８０１に接続する。記憶部６０５は、例えばＨＤＤ（Ｈａｒｄ  Ｄｉｓｋ  Ｄｒｉｖｅ）である。記憶部６０５には、制御プログラム６０７が記憶されている。制御部６５０は、例えばＣＰＵやメモリなどで構成されている。制御部６５０は、制御プログラム６０７などを実行することで、サーバ６０１の各部の動作を制御する。
【００２４】
携帯端末７０１は、例えば、いわゆるフィーチャーフォンやスマートフォンである。携帯端末７０１は、通信部７０３と、記憶部７０５と、制御部７５０とを有している。通信部７０３は、例えば、無線ＬＡＮや携帯電話網を通じてネットワーク８０１に接続可能である。記憶部７０５は、例えばフラッシュメモリである。記憶部７０５には、制御プログラム７０７が記憶されている。携帯端末７０１は、さらに、操作部７１１や、表示部７１３や、カメラ７１５などを有している。制御部７５０は、例えばＣＰＵやメモリなどで構成されている。制御部７５０は、制御プログラム７０７などを実行することで、携帯端末７０１の各部の動作を制御する。
【００２５】
写真シール作成装置１は、プレイ時に生成された画像データと、画像データを特定するための画像ＩＤ、通常画像・おまけ画像、またアップ写真・全身写真、画像の形状等の画像データの種類を識別するための属性情報、ユーザにより入力されたメールアドレス、及びユーザにより入力された名前等の画像データに関連する情報をサーバ６０１に送信する。サーバ６０１は、送信された画像データ及び画像データに関連する情報を記憶する。サーバ６０１は、画像データを、画像データに関連する情報に対応づけて管理する。サーバ６０１は、携帯端末７０１などからのアクセスを受け付け、携帯端末７０１を所有するユーザに、画像ＩＤやメールアドレス等関連する情報に対応する画像データを、その携帯端末７０１に対して公開する機能などを有している。これにより、ユーザは、携帯端末７０１を用いて、サーバ６０１に記憶されている画像データを取得可能である。
【００２６】
［写真シール作成装置１の概略構成］
【００２７】
図２は、写真シール作成装置１のハードウェア構成を示す側面図である。図３は、写真シール作成装置１のハードウェア構成を示す平面図である。
【００２８】
図２に示されるように、写真シール作成装置１は、前部筐体（撮影筐体）５１０、背部筐体５４０、及び編集出力装置５７０を有している。前部筐体５１０、背部筐体５４０、及び編集出力装置５７０は、互いに並べられて１台の写真シール作成装置１として用いられる。
【００２９】
前部筐体５１０には、外部モニタ５２１やコイン投入部５２５などが配置された事前接客部５２０が設けられている。事前接客部５２０は、写真シール作成装置１の前部筐体５１０の左側面に配置されている（一方に選択的に配置されていればよく、右側面にあってもよい。）。
【００３０】
編集出力装置５７０の前部には、シール排出口５７５が設けられている。編集出力装置５７０の両側部には、それぞれ、編集モニタ５８１、タッチペン５８３、非接触通信装置５８５、及びスピーカ５８７などを有する編集受付部５８０が設けられている。
【００３１】
図３に示されるように、前部筐体５１０と背部筐体５４０とが組み合わせられることにより、撮影コーナー（撮影ブース）が形成される。撮影コーナーの両側方は開口部となるが、この開口部は、カーテン（図示せず）で覆うことができる。また、編集出力装置５７０の周囲も、カーテン（図示せず）で覆うことができる。これにより、ユーザは、他者にプレイ中の姿や編集画面などをのぞき込まれないようにして、プレイ可能である。
【００３２】
図４は、写真シール作成装置１を用いたプレイを示すフローチャートである。
【００３３】
本実施の形態において、写真シール作成装置１を用いたプレイは、大まかに、次のような４つの段階を順にたどるようにして行われる。通常のプレイは、通常動作モードでの動作時に行われる。
【００３４】
事前接客部５２０のコイン投入部５２５に規定枚数の硬貨が投入されると、プレイが開始する。ステップＳ１において、外部モニタ５２１における受け付けが行われる。このとき、図３において示されるＰ１の位置にユーザが立つ。この段階では、撮影を開始する前に、撮影、編集、作成される画像やシートなどの各種プレイに関する案内及び広告がユーザに対して行われる。また、ユーザは、各種選択操作を行う。
【００３５】
ステップＳ２において、撮影が行われる。このとき、図３において示されるＰ２の位置、すなわち撮影コーナー内にユーザが立つ。撮影コーナーでは、事前接客部５２０で受け付けられた各種選択操作に基づいて、ユーザに対して、各種操作で選択された撮影コースに応じた撮影が行われる。また、それと共に、ユーザによる各種操作が受け付けられ、落書き可能な画像データが作成される。
【００３６】
ステップＳ３において、落書き受け付けが行われる。このとき、図３において示されるＰ３の位置（落書きコーナー）にユーザが立つ。すなわち、ユーザは、左右いずれか一方の編集受付部５８０ａ，５８０ｂに対面するように立つ。落書き受け付けでは、撮影コーナーでのプレイが終了したユーザに対して、各種選択作業に関する案内が行われる。そして、ユーザにより行われる、出力するシールなどについての各種選択操作や、落書き操作が受け付けられる。このとき受け付けられた受付結果に基づいて、シールにプリントされる画像の処理が行われる。
【００３７】
ステップＳ４において、シールの出力が行われる。このとき、図３において示されるＰ４の位置にユーザが立つ。すなわち、ユーザは、シール排出口５７５の前方で、シール排出口５７５からシールが排出されるのを待つ。シール排出口５７５からシールが排出されると、写真シール作成装置１の近傍で行われる一連の主なプレイは終了する。
【００３８】
このように、４段階に分かれて、ユーザが移動しながらプレイが進むことで、単位時間当たりに写真シール作成装置１を利用可能なユーザ組数が多くなっている。すなわち、最大で、５組のユーザが、写真シール作成装置１を利用できる。落書き受け付けは時間がかかるため、２つの編集受付部５８０ａ，５８０ｂを用いて、同時に２組のユーザが落書き受け付けの段階をプレイできるように構成されている。
【００３９】
図５は、写真シール作成装置１の前部筐体５１０を示す斜視図である。
【００４０】
図５に示されるように、前部筐体５１０の事前接客部５２０には、外部モニタ５２１と、コイン投入部５２５と、スピーカ５２７とが設けられている。
【００４１】
外部モニタ５２１は、例えば、液晶タッチパネルである。外部モニタ５２１は、ユーザに対して、各種案内や、選択操作に必要な画面を表示する。外部モニタ５２１は、表示された選択項目などを選択する、ユーザの指等によるタッチ操作を受け付ける。外部モニタ５２１は、いわゆるマルチタッチ操作を受け付け可能である。すなわち、外部モニタ５２１は、同時に１人以上の複数のユーザからの指示入力を受け付けることができる。外部モニタ５２１は、事前接客部５２０がどのユーザにも利用されていない場合は、利用開始を促すデモ画面などを表示する。
【００４２】
コイン投入部５２５は、硬貨投入口と、硬貨返却口とを有している。硬貨投入口は、プレイ開始時に必要な所定の金額（例えば４００円）の硬貨の投入を受け付ける。硬貨返却口は、投入された硬貨が受け付け不可能であった場合に、それを返却する。
【００４３】
スピーカ５２７は、ユーザに対して、各種案内や、選択操作に必要な音声を出力する。事前接客部５２０が利用されていない場合は、スピーカ５２７は、利用開始を促すデモ音声（例えば「プレイを開始するのはここからだよ」）やバックグラウンドミュージックなどを出力する。
【００４４】
前部筐体５１０の撮影コーナー内となる部分には、正面照明装置（ドーム型照明装置５１１、上半身照明装置５１２ａ、膝上照明装置５１２、足元照明装置５１３、カメラまわりの照明装置５１４）と、カメラ（撮影手段の一例）５１５と、操作モニタ５１７などが設けられている。
【００４５】
正面照明装置５１１〜５１４のそれぞれは、ストロボや蛍光灯などを備えている。ドーム型照明装置５１１はユーザの上半身及び背面に、上半身照明装置５１２ａはユーザの上半身に、膝上照明装置５１２はユーザの膝上あたり及び背面に、足元照明装置５１３はユーザの足元及び背面に、それぞれ光を照射する。カメラまわりの照明装置５１４は、ユーザの顔に対して光を照射する。なお、膝上照明装置５１２の側方の、撮影をする際に撮影に支障を来さない位置には、ユーザが手荷物を置くための荷物置き場（図示せず）が設けられている。
【００４６】
カメラ５１５は、ユーザの撮影を行う。撮影は、各種操作で選択された、撮影コースや、全身撮影及びアップ撮影の別などに応じて、ズーム及び撮影角度が調整された状態で行われる。換言すると、カメラ５１５による撮影は、外部モニタ５２１や操作モニタ５１７などでの指示入力の受付結果に応じて行われる。
【００４７】
操作モニタ５１７は、例えば液晶タッチパネルである。操作モニタ５１７は、ユーザに対して、各種案内や選択操作に必要な画面などを表示する。操作モニタ５１７は、表示された選択項目などを選択する、ユーザの指などを用いたタッチ操作による指示入力を受け付ける。操作モニタ５１７は、撮影コーナーがどのユーザにも利用されていない場合は、利用開始を促すデモ画面などを表示する。また、撮影中は、カメラ５１５で取り込まれた映像から所定の位置と範囲で切り出されたライブ画像を、操作モニタ５１７に表示する。
【００４８】
なお、これらのほか、前部筐体５１０には、天井装置（図示せず）が設けられている。天井装置には、ユーザを上方から照らす照明装置や、ユーザに各種案内や選択操作に必要な音声を出力するスピーカ（図示せず）などが設けられている。スピーカは、撮影コーナーが利用されていない場合は、利用開始を促すデモ音声（例えば「撮影の準備が完了しました！」）やバックグラウンドミュージックなどを出力する。
【００４９】
図６は、写真シール作成装置１の背部筐体５４０を示す斜視図である。
【００５０】
図６に示されるように、背部筐体５４０は、大まかに平面視でコ字状の壁面をなすように形成されており、撮影コーナーの背面と両側方の一部とを覆う。背部筐体５４０には、背部照明装置５４１が設けられている。本実施の形態において、背部照明装置５４１としては、全身用照明装置（後方用上部照明装置）５４３と、アップ用照明装置（前方用照明装置）５４５と、全身用上部照明装置（前方及び後方用照明装置）５４７とが設けられている。
【００５１】
全身用照明装置５４３及び全身用上部照明装置５４７は、ストロボを備え、ユーザの全身に対して光を照射する。アップ用照明装置５４５は、ストロボとグリッドとを備え、主に、アップ撮影をするユーザの頭部付近、主に髪に光を照射する。
【００５２】
図７は、写真シール作成装置１の編集出力装置５７０を示す斜視図である。
【００５３】
図７に示されるように、編集出力装置５７０は、シール排出口５７５及び２つの編集受付部５８０（５８０ａ，５８０ｂ）のほか、照明部５７１を有している。
【００５４】
照明部５７１は、蛍光灯を有し、編集モニタ５８１の上部から照明を行う。
【００５５】
各編集受付部５８０において、編集モニタ５８１と、２つのタッチペン５８３と、非接触通信装置５８５と、スピーカ５８７とは、それぞれ、次のように構成されている。
【００５６】
編集モニタ５８１は、例えば、液晶タッチパネルである。編集モニタ５８１は、ユーザに対して、各種案内や落書き操作に必要な画面を表示する。編集モニタ５８１は、ユーザがタッチペン５８３を用いて行う、表示された選択項目の選択操作や落書き操作などの指示入力を受け付ける。タッチペン５８３は２つ設けられており、２人のユーザが同時に操作を行うことができる。編集モニタ５８１は、操作がいずれのタッチペン５８３を用いて行われたものであるか検知できる。タッチペン５８３は、不使用時には、タッチペン置き５８４に保持させることができる。
【００５７】
スピーカ５８７は、ユーザに対して、各種案内や、選択操作及び落書き操作について必要な音声を出力する。スピーカ５８７は、編集出力装置５７０が利用されていない場合は、使用開始を促すデモ音声（例えば「らくがきを開始してね」）やバックグラウンドミュージックなどを出力する。
【００５８】
非接触通信装置５８５は、例えばＮＦＣ（Ｎｅａｒ  Ｆｉｅｌｄ  Ｃｏｍｍｕｎｉｃａｔｉｏｎ）規格に基づいた通信（例えばＦｅｌｉＣａ（登録商標）を利用した通信など）を行うことができる。非接触通信装置５８５は、ユーザ自身の携帯端末７０１がかざされたとき、その携帯端末７０１に、ユーザのプレイによって作成された写真画像（撮影画像）や合成画像を得るための情報（例えば、サーバ６０１にアクセスするためのＵＲＬなど）を送信できる。これにより、ユーザは、携帯端末７０１を用いて写真画像や合成画像を得るためのＷｅｂページ（取得ページ）にアクセスし、それらを取得できる。なお、非接触通信装置５８５に対して、携帯端末７０１から種々の情報を送信できるようにしてもよい。また、非接触通信装置５８５は、２人以上のユーザが同時に利用できるように２つ以上設けられていてもよい。非接触通信装置５８５の通信方式は上述のものに限らず、ユーザの端末に対して、写真画像のデータや合成画像のデータ自体を送信できるようにしてもよい。
【００５９】
シール排出口５７５には、印刷が完了したシール紙のシート（シール）が排出される。シートは、落書きが終わったユーザに対して提供される。シートには、撮影コーナーで撮影され、落書き受け付けで編集された合成画像が印刷されている。ユーザがシール排出口５７５に到着したときにシートの印刷が完了していない場合においては、ユーザは、シール排出口５７５の前で待機する。
【００６０】
なお、シール排出口５７５の近くには、そこで待機するユーザが見ることができるように表示パネルを設けてもよい。表示パネルには、様々な広告や、ユーザに対する案内などを表示できる。表示パネルには、編集受付部５８０ａ側で編集を行ったユーザと編集受付部５８０ｂ側で編集を行ったユーザとのいずれのユーザ用の印刷が行われているかを表示するようにしてもよい。
【００６１】
また、図示しないが、シール排出口５７５の近くには、例えばＬＥＤ（発光ダイオード）などを光源とした発光表示部を配置してもよい。この場合、発光表示部を用いて、編集受付部５８０ａ側で編集を行ったユーザと編集受付部５８０ｂ側で編集を行ったユーザとのいずれのユーザ用の印刷が行われているかを表示するようにしてもよい。これにより、シール排出口５７５が１つしかないところ、２組のユーザ間で排出されたシートの取り違えなどの混乱が発生するのを防止できる。
【００６２】
図８は、写真シール作成装置１の制御に関する構成を説明するブロック図である。
【００６３】
写真シール作成装置１は、例えばＰＣ（パーソナルコンピュータ）のような、ＣＰＵ５０２、メモリ５０３、画像処理部５０４、記憶部５０５、及び通信部５０９などで構成された制御部（制御装置）５０１を有している。
【００６４】
画像処理部５０４は、カメラ５１５により撮影された写真の情報に基づいて、その後の処理や出力時に用いられる写真画像を生成したり、編集受付部５８０で受け付けられた落書きに応じて編集画像を生成したり、写真画像と編集画像とを合成して合成画像を生成したりする。すなわち、画像処理部５０４は、編集受付部５８０で受け付けられた落書き等の受付結果や外部モニタ５２１等での操作入力の受付結果に応じて、カメラ５１５により撮影された写真を用いて、シートにプリントする画像や、その後の処理に用いられる画像の処理を行ったり、画像を生成したりする。
【００６５】
記憶部５０５は、例えばフラッシュメモリやＨＤＤであり、制御プログラム５０７を有している。
【００６６】
制御部５０１は、ＣＰＵ５０２が制御プログラム５０７を実行することで、写真シール作成装置１の各部の動作を制御する。
【００６７】
通信部５０９は、例えばＰＨＳ通信モジュールを有し、写真シール作成装置１をネットワーク８０１に接続できる。
【００６８】
制御部５０１は、事前接客部５２０について、外部モニタ５２１、スピーカ５２７、及びコイン制御部５２５ａなどを制御する。コイン制御部５２５ａは、コイン投入部５２５を制御し、コインの投入状況などを確認し、制御部５０１に通知する。
【００６９】
制御部５０１は、前部筐体５１０及び背部筐体５４０について、カメラ５１５、操作モニタ５１７、及びストロボ制御部５３０などを制御する。ストロボ制御部５３０は、正面照明装置５１１〜５１４と背部照明装置５４１とを制御し、適時に適切な態様で発光させる。
【００７０】
制御部５０１は、編集出力装置５７０について、編集モニタ５８１、非接触通信装置５８５、スピーカ５８７、及び印刷部５９０などを制御する。印刷部５９０は、画像処理部５０４により処理が行われた画像について、シールの用紙にプリント（印刷）し、印刷後のシールをシール排出口５７５に搬送する。印刷部５９０により、シール排出口５７５からシールが出力される。
【００７１】
なお、図８で示される構成は、概念的な構成を示すものである。例えば、撮影コーナー側（前部筐体５１０及び背部筐体５４０）にＰＣを設け、落書きコーナー側（編集出力装置５７０）にも別のＰＣを設け、これらが連携して動作することで、制御部５０１などの機能が実現されるようにしてもよい。
【００７２】
［写真シール遊戯システム９０１の動作の説明］
【００７３】
写真シール作成装置１は、サーバ６０１や携帯端末７０１と連携し、大まかに、次のような動作を行う。最初に、図９を参照し、主に写真シール作成装置１がプレイを実行可能なるまでの写真シール作成装置１の基本的動作について説明する。次に、図１０を参照し、写真シール遊戯システム９０１を用いて行われるプレイについて説明する。
【００７４】
図９は、写真シール作成装置１の基本的動作の一例を示すフローチャートである。
【００７５】
図９に示されるように、写真シール作成装置１が起動されると、ステップＳ２１において、起動時処理が行われる。ここでは、各種制御プログラム５０７の読み込み、実行や、必要に応じて、サーバ６０１との通信処理などが行われる。起動時処理において、サーバ６０１からアップデートデータや機能設定コマンド等が送信されると、制御部５０１は、それを写真シール作成装置１に適用する。これにより、サーバ６０１を介して、写真シール作成装置１の管理を行うことができる。なお、このような動作は行われなくてもよい。
【００７６】
ステップＳ２２において、制御部５０１は、デモ画面を外部モニタ５２１やその他のモニタなどに表示させる。
【００７７】
ステップＳ２３において、制御部５０１は、テストモードに入るかどうかを確認する。例えば、管理者にしかアクセスできない位置に配置されている所定のスイッチなどが操作されたとき、制御部５０１は、テストモードに入ると判断する。
【００７８】
また、ステップＳ２４において、制御部５０１は、プレイを行うための対価を受け付けたか否かを確認する。
【００７９】
対価が受け付けられるか、テストモードに入ると確認されるまでは、制御部５０１は、デモ画面を表示しながら待機する。
【００８０】
ステップＳ２３でテストモードに入ると判断された場合には、ステップＳ２６において、テストモードが実行される。テストモードでは、管理者により、写真シール作成装置１の種々の機能設定などを行うことができる。すなわち、テストモードは、機能設定用の動作モードである。テストモードが終了すると、再び、デモ画面の表示に戻る（Ｓ２２）。
【００８１】
ステップＳ２４でコイン投入部５２５に規定枚数のコインが投入されて対価が受け付けられたと判断されたとき、ステップＳ２５において、プレイが実行される。プレイは、図４に説明したようにして行われる。写真シール作成装置１を用いたプレイが終了すると、ステップＳ２２の動作に戻る。
【００８２】
図１０は、ユーザのプレイ時における写真シール作成装置１とサーバ６０１との動作を大まかに示すシーケンス図である。
【００８３】
プレイを実行するために上述のようにユーザから写真シール作成装置１にコインが投入されると、プレイが開始される。図１０に示されるように、ステップＳ５１において、写真シール作成装置１は、撮影及び編集を行う。すなわち、図４において説明した、外部モニタ受付（Ｓ１）、撮影（Ｓ２）、及び落書き受付（Ｓ３）が行われる。ユーザは、編集段階において、落書き編集入力を行うことができる。
【００８４】
編集が終了すると、ユーザは、携帯端末７０１で取得したい画像を選択する操作を写真シール作成装置１に対して行う。また、画像を取得するための情報を受信するためのメールアドレスを入力する操作を行う。
【００８５】
ステップＳ５２において、写真シール作成装置１は、撮影した写真に基づく送信画像データと、メールアドレスとを互いに関連付けて、サーバ６０１に送信する。このとき、写真シール作成装置１は、送信画像について、属性情報や、ユーザから受け付けた名前に関する情報を合わせて送信する。属性情報としては、例えば、その送信画像について、画像ＩＤや、撮影日時、撮影モードやプレイコース名などの画像の種類に関する情報などが送信される。
【００８６】
ステップＳ５３において、写真シール作成装置１では、印刷が行われる。印刷が終了すると、シール排出口５７５から、印刷が完了したシート（シール）が排出される。
【００８７】
ステップＳ５４において、ユーザは、シール排出口５７５に排出されたシートを取得する。
【００８８】
一方、写真シール作成装置１からサーバ６０１にデータが送信されると、ステップＳ５５において、サーバ６０１は、送信された情報を受信する。
【００８９】
ステップＳ５６において、サーバ６０１では、受信した情報を用いて、データベース記録処理が行われる。
【００９０】
サーバ６０１は、受信した画像データをユーザに取得させるための取得ページを通じて閲覧可能に保持する。取得ページは、例えばサーバ６０１のウェブサーバ機能によって外部から取得可能となるように、保持される。このとき、取得ページにアクセスするための取得用ＵＲＬが生成される。ステップＳ５７において、サーバ６０１は、取得用ＵＲＬ（取得ページアドレス）をユーザに送信する。このとき、例えば、写真シール作成装置１から送信されたメールアドレスを用いて、電子メールにより、ユーザの携帯端末７０１などに情報が送信される。
【００９１】
ステップＳ５８において、ユーザの携帯端末７０１は、取得ＵＲＬを受信する。
【００９２】
ステップＳ５９において、ユーザは、携帯端末７０１を操作し、携帯端末７０１で動作するウェブブラウザなどを用いて、取得ＵＲＬにアクセスする。
【００９３】
ステップＳ６０において、サーバ６０１は、取得ページのデータを携帯端末７０１に送信する。このとき、取得ページの表示時に閲覧される画像の携帯端末機用画像データも、携帯端末７０１に送信される。
【００９４】
ステップＳ６１において、携帯端末７０１は、取得した取得ページや画像のデータに基づいて、画像を含む取得ページを表示する。これにより、ユーザは、携帯端末機用の画像を、サーバ６０１から取得することができる。ユーザは、プレイを行った結果、シートを受け取ることができるとともに、携帯端末機用の画像を取得できる。したがって、ユーザにとって、プレイを行う楽しみが増加する。
【００９５】
次に、プレイにおける写真シール作成装置１の動作を具体的に説明する。写真シール作成装置１のプレイ時において、各段階の流れは、例えば次のようである。各動作は、制御部５０１の制御に基づいて行われる。なお、各処理において、外部モニタ５２１、操作モニタ５１７、編集モニタ５８１等の表示内容を中心に説明するが、画面表示に伴い、スピーカ５２７，５８７等を利用した音声案内が適宜行われる。
【００９６】
図１１は、外部モニタ受け付けのプレイ時の流れについて説明するフローチャートである。
【００９７】
図１１に示されるように、プレイが開始されると、ステップＳ１０１において、プレイの説明が行われる。例えば、外部モニタ５２１に画像を表示したり、スピーカ５２７から音声を出力したりすることで、プレイの一連の流れや後述のプレイコースについての説明が行われる。
【００９８】
ステップＳ１０２において、コース選択が受け付けられる。本実施の形態においては、生成できる画像の雰囲気に応じた、複数のプレイコースが設けられている。ユーザは、これらのプレイコースを選択してプレイできる。制御部５０１は、選択されたプレイコースをそのプレイのプレイコースとして決定し、以後、そのプレイコースに応じた所定の制御内容（撮影コースなど）で、そのプレイについて制御を行う。なお、プレイコースに加えて、特有の画像処理（例えば、写真画像の特定の領域についての変形処理など）を行うか否かなどの選択などを適宜受け付けるようにしてもよい。
【００９９】
例えば、本実施の形態においては、「ノーマルコース」と「ルックブックコース（Ｌｏｏｋ  Ｂｏｏｋコース）」との２つのプレイコースがある。ユーザは、２つのプレイコースを選択してプレイできる。ノーマルコースは、背景と撮影画像を合成させ、矩形の枠をそのまま使用して作成する通常の撮影コースであり、ユーザによる背景選択を受け付ける。他方、ルックブックコースは、デザイン性の高いレイアウトになるように撮影するコースである。ルックブックコースでは、撮影する前に、シール紙に印刷される完成イメージのコラージュデザインであるルックブックのデザイン選択をユーザから受け付ける。なお、プレイコースはこれに限られない。また、コース選択が行われなくてもよいし、コース選択を３つより多くのプレイコースから行えるようにしてもよい。
【０１００】
ステップＳ１０３において、デザイン選択が受け付けられる。ここでは、例えば、画像やデザイン等について、ふんわりとした印象のものとするかくっきりとした印象のものにするかなど、全体の印象をどういうものにするかなどの選択が受け付けられる。
【０１０１】
ステップＳ１０４において、名前入力を受け付ける。例えば、ユーザに対して、２名分の名前入力を行わせる画面が表示される。入力された名前は、落書き編集時に使用されたり、背景やフレームなどのデザインの一部として使用されたりする。名前入力画面では、ひらがなと所定の記号の一覧が表示される。入力されたひらがなの名前が英字に変換されて入力画面に表示される。このひらがなで入力された名前と変換された英字の名前を元に背景やフレームなどのデザイン画像が生成される。ここで入力された名前が、後に画像データとともにサーバに送信される。本実施例では、英字の名前（所定の記号を含む）がサーバに送信され、提供画像の作成に用いられる。
【０１０２】
ステップＳ１０５において、コース選択を行ったユーザに対して、コースによって異なる背景などを選択する画面が表示される。例えば、「背景を６枚選んでね」などの表示・案内などが行われ、ユーザは、所望の背景やシートデザインなどを選択する。
【０１０３】
ステップＳ１０６において、制御部５０１は、撮影コーナーが空いているか（使用中でないか）を判断する。
【０１０４】
ステップＳ１０６で撮影コーナーが空いていなければ、ステップＳ１０７において、制御部５０１は、空くまで、外部モニタ５２１にウエイト画面を表示させる。例えば、携帯端末でアクセス可能なウェブサイトの宣伝画面等をウエイト画面として表示させる。
【０１０５】
ステップＳ１０６で撮影コーナーが空いていれば、ステップＳ１０８において、撮影コーナー誘導の画面表示が行われる。これにより、事前接客部５２０での各種操作が完了したユーザを、撮影コーナーへ誘導する。
【０１０６】
制御部５０１は、事前接客部５２０で受け付けられた情報を用いて、撮影コーナーで撮影を行う。
【０１０７】
図１２は、撮影のプレイ時の流れについて説明するフローチャートである。
【０１０８】
図１２に示されるように、ステップＳ１２１において、制御部５０１は、操作モニタ５１７に、撮影開始画面を表示させる。ユーザに対して、撮影開始を促す画面が表示される。ユーザが操作モニタ５１７にタッチすることで、撮影が開始される。
【０１０９】
ステップＳ１２２において、通常撮影が行われる。撮影は、大まかに、次のようにして行われる。撮影は、例えば６枚の写真が得られるまで行われる。
【０１１０】
まず、ユーザは、全身撮影かアップ撮影を行うかの選択を行う。そうすると、制御部５０１は、ユーザに対して、ユーザが選択した撮影コースに対応した撮影を行うことを促す。このとき、ユーザに対して、おすすめのポーズを促すサンプル画面が表示される。次に、ライブ表示に切り替わり、実際の撮影画像の写りをわかりやすくするために、撮影を行うユーザ自身が操作モニタ５１７に表示される。所定の時間が経過すると、カウントダウンが行われ、ユーザに対して、撮影するタイミングが通知される。そして、所定のタイミングで撮影コースに対応した撮影が行われる。撮影が行われると、撮影により得られた写真が画像データ化される。この処理待ち時間が経過すると、次の写真の撮影に入る。
【０１１１】
各写真の撮影が終わると、プレビュー表示が行われる。プレビュー表示では、ユーザに対して、所定の枚数（例えば、６枚）の撮影が行われたかの確認を行うために、撮影により得られた画像が表示される。撮影が終了すると、ユーザに対して、その旨の確認操作を促す撮影完了確認画面が表示される。
【０１１２】
なお、撮影時の各処理は、それぞれ所定の時間で行われ、次の処理に自動的に進むように制御されればよい。これにより、速やかに、ユーザの撮影を行うことができる。
【０１１３】
ステップＳ１２５では、目の写り選択や明るさ選択が行われる。ここでは、撮影した写真をプレビュー表示させながら、複数の設定（例えば、各５段階の設定）のうちどれを適用するかが選択される。
【０１１４】
すなわち、目の写り選択では、よりユーザのイメージ通りのシートが出力されるように、撮影画像の目の大きさの選択を受け付ける。明るさ選択では、よりユーザのイメージ通りのシートが出力されるように、撮影画像の明るさの選択を受け付ける。操作モニタ５１７に表示される撮影画像は、必然的に顔が小さくなるため、目の大きさの変化・明るさの変化がわかりにくい全身撮影画像ではなく、変化がわかりやすいアップ撮影画像が表示されるようにすればよい。これにより、プレビュー表示に必要な処理の量が低減するため、制御部５０１にかかる負荷を低減できる。このとき、ユーザの選択の効果は、操作モニタ５１７に表示されていない全身画像にも反映されるようにしてもよい。
【０１１５】
ステップＳ１２６において、制御部５０１は、落書きコーナーが空いているか（使用中でないか）を判断する。例えば、編集受付部５８０ａ，５８０ｂのいずれか一方でも他のユーザにより使用中でなければ、落書きコーナーが空いていると判断される。
【０１１６】
ステップＳ１２６で落書きコーナーが空いていなければ、ステップＳ１２７において、制御部５０１は、空くまで、操作モニタ５１７にウエイト画面を表示させる。ウエイト画面として、上述と同様の宣伝画面等を表示できる。
【０１１７】
ステップＳ１２６で落書きコーナーが空いていれば、ステップＳ１２８において、落書きコーナー誘導の画面表示が行われる。これにより、撮影が完了したユーザを、落書きコーナーへ誘導する。このとき、編集受付部５８０ａ，５８０ｂのうち、いずれか適切な方に移動するようにユーザに促すようにすればよい。例えば、「右の１番のらくがきコーナーに移動してね」などと案内すればよい。
【０１１８】
図１３は、落書き受け付けのプレイ時の流れについて説明する第１のフローチャートである。図１４は、落書き受け付けのプレイ時の流れについて説明する第２のフローチャートである。
【０１１９】
図１３に示されるように、落書き受け付けが開始されると、ステップＳ１３１において、制御部５０１は、編集モニタ５８１にデータ転送開始画面を表示させる。ここでは、撮影された写真に基づき作成された画像データが、撮影コーナーから落書きコーナーに転送される。そして、そのことを示す画面が表示される。
【０１２０】
ステップＳ１３２において、画面タッチが受け付けられる。ここでは、タッチペン５８３を用いて編集モニタ５８１のタッチ操作を受け付ける。タッチ操作が行われるか、所定の時間が経過すると、次の処理に進む。
【０１２１】
タッチ操作が受け付けられると、ステップＳ１３３において、落書き案内が行われる。ユーザに対して、落書き操作が開始されることが案内される。例えば、「次はらくがきだよ！」などと表示が行われる。画像データが転送されてから、この表示が行われている期間に、落書きに用いる画像データについての各種の処理が行われる。画像データについての処理が終了すると、次の処理に進む。
【０１２２】
ステップＳ１３４において、落書き編集が開始される。落書き編集は、編集モニタ５８１に落書き編集画面を表示し、ユーザからの操作を受け付けることで行われる。落書き編集画面には、撮影された写真に基づく写真画像が含まれる。ユーザは、各画像について、所定時間内に、落書き編集を行うことができる。落書き編集により、タッチペン５８３を用いて書き込むようにして行われる「ペン」と呼ばれる落書きと、所定の図柄や、ここまでのユーザの入力内容（名前入力等）に応じて生成された図柄をタッチペン５８３により指定した位置に配置する「スタンプ」と呼ばれる落書きとを行うことができる。これらの落書きは、編集画像として作成される。編集画像と写真画像とを合成した合成画像は、撮影された写真上に落書きが行われたような画像となる。
【０１２３】
また、落書き編集中に、落書き編集画面に「おまけらくがき」ボタンが表示される。ユーザにより「おまけらくがき」ボタンが押されると、通常の落書き編集画面に代えて、おまけ落書き編集画面が表示され、おまけ画像が作成できるようになる。おまけ画像は、ＳＮＳやブログ等に利用する画像である。
【０１２４】
具体的には、おまけ落書き編集画面には、撮影された複数の写真画像の一覧が表示される。ユーザは、写真画像を１枚選択し、作成したいおまけ画像の形状を選択する。形状の選択肢としては、縦横比が１：１の「正方形」、縦横比が３：４の「ヨコ」、縦横比が４：３の「タテ」等がある。
【０１２５】
写真画像と形状が選択されると、選択した元の写真画像を選択した形状でトリミングするための操作を受け付ける画面が表示され、ユーザは、トリミング位置と範囲を指定する。指定されたトリミング位置と範囲にしたがって、元の写真画像から、新たな画像が生成される。
【０１２６】
その後、生成された画像が表示され、ユーザは、通常の落書き同様に、「ペン」や「スタンプ」の機能を用いて落書き編集を行う。これにより、おまけ画像が生成される。
【０１２７】
おまけ落書き編集画面には、「通常らくがきに戻る」ボタンが表示され、ユーザによりこのボタンが押されると、通常の落書き編集画面に戻る。
【０１２８】
本実施の形態では、このようにして作成されたおまけ画像が、ユーザが無料で取得できる画像となる。
【０１２９】
図１３に戻り、ステップＳ１３５において、分割数選択説明画面が表示される。シートデザイン選択に移る旨が案内される。
【０１３０】
ステップＳ１３６において、シートデザイン選択が受け付けられる。ここでは、例えば、ユーザに対し、シート当たりに印刷する画像の数の選択が受け付けられる。シートデザイン選択は、例えば、選択されたプレイコースに応じて行われる。
【０１３１】
図１４に示されるように、ステップＳ１３７において、ケータイ送信確認画面が表示される。本実施の形態において、基本のプレイ時には、ユーザの携帯端末７０１に、例えばプレイによって作成された写真画像又は合成画像のうち１枚の画像を取得させることができる。
【０１３２】
ステップＳ１３８において、送信画像選択画面が表示される。制御部５０１は、携帯端末７０１に取得させる対象となる画像の選択操作をユーザから受け付ける。当該画像は、撮影された画像、シールとして印刷できる落書き画像の中から選択可能である。おまけ画像は、無料で取得できる画像として案内するため、送信画像選択画面に表示されるが、選択は受け付けない。なお、２人までのユーザがそれぞれ希望する画像を選択するか、送信画像選択画面に使用される所定の時間が経過することによって次の画面に進む。所定の時間が経過し、タイムアウトになった場合は、タイムアウト時に選択されている画像が選択される。
【０１３３】
ステップＳ１３９において、アドレス入力画面が表示される。ここでは、携帯端末７０１の電子メールアドレス等の入力が受け付けられる。電子メールアドレス等が入力されると、その情報がサーバ６０１に送信される。これにより、例えば、サーバ６０１は、画像を取得可能にするＵＲＬを、電子メールなどの方法で携帯端末７０１に通知する。ユーザは、携帯端末７０１で当該ＵＲＬにアクセスすることで、別途写真シール作成装置１からサーバ６０１に送られた画像を取得できる。
【０１３４】
ステップＳ１３９のアドレス入力画面において、非接触通信（ＮＦＣ通信など）で送信することを選択できる。これが選択されたとき、ステップＳ１４０において、非接触通信操作画面が表示される。制御部５０１は、非接触通信装置５８５を制御して、画像を取得可能にするＵＲＬなどの情報を、非接触通信装置５８５にかざされた携帯端末７０１に送信できる。非接触通信操作画面には、ユーザが行うべき動作の説明などが含まれる。非接触通信操作画面は、携帯端末７０１への通信が成功するか、例えば「アドレス入力に戻る」ボタンが操作されるまで、表示されるようにすればよい。
【０１３５】
ステップＳ１３９で入力が完了すると、ステップＳ１４１において、制御部５０１は、印刷部（プリンタ）５９０が空いているか（使用中でないか）を判断する。
【０１３６】
ステップＳ１４１で印刷部５９０が空いていなければ、ステップＳ１４２において、制御部５０１は、空くまで、編集モニタ５８１に広告画面を表示させる。例えば、上述と同様のウェブサイト等の広告画面が表示される。
【０１３７】
ステップＳ１４１で印刷部５９０が空いていれば、ステップＳ１４３において、プリントが行われる。制御部５０１は、印刷すべき画像データを生成し、印刷部５９０に転送する。これにより、印刷部５９０によりシールの印刷が行われる。なお、印刷部５９０に用紙切れなどのエラーが発生している場合には、プリンタエラー画面が表示されるようにすればよい。
【０１３８】
ステップＳ１４４において、編集モニタ５８１には、落書きブース終了画面が表示される。印刷が完了するまで、シール排出口５７５の前で待機するように、ユーザに案内が行われる。これにより、シール排出口５７５からシールが排出され、一連のプレイが終了する。
【０１３９】
［提供画像作成機能に関する動作の説明］
【０１４０】
ここで、写真シール遊戯システム９０１において、ユーザは、サーバ６０１を利用した提供画像作成機能を利用できる。提供画像作成機能では、ユーザは、プレイにおいて撮影され、写真シール作成装置１からサーバ６０１に送信された写真画像や合成画像を用いて、提供画像を作成できる。そして、ユーザは、作成した提供画像を取得できる。提供画像作成機能は、主にサーバ６０１により提供され、ユーザは、携帯端末７０１等を利用してサーバ６０１にアクセスすることで、これを利用可能である。以下、このような提供画像作成機能について説明する。
【０１４１】
上述のように、プレイ時において、撮影が終了し、らくがきが行われた後、作成した画像が送信画像選択画面に表示される。ユーザは、表示された画像の中から、無料で携帯端末７０１での取得対象となり、かつ、提供画像作成機能で利用可能な画像を選択できる。このとき、本実施の形態では、通常の撮影で作成された６枚の画像から選択された１枚に加えて、ユーザの選択によらずおまけらくがきで作成された画像の１枚が、無料でユーザに提供されるように設定されている。なお、通常の撮影で作成された６枚の画像とおまけらくがきで作成された画像の１枚との合計７枚のうち、例えば任意の１枚のみが無料で提供されるように設定されていてもよい。
【０１４２】
図１５は、送信画像選択画面の一例を示す図である。
【０１４３】
図１５に示されるように、送信画像選択画面５１は、そのプレイで通常の撮影により得られた画像のサムネイル画像５３ａ〜５３ｆと、プレゼント案内表示５５とを含む。すなわち、通常の撮影で得られた４枚の正方形の画像５３ａ〜５３ｄと、２枚の長方形（１：１．４のアスペクト比）の画像５３ｅ，５３ｆとが含まれている。プレゼント案内表示５５には、このプレイにおいてユーザにプレゼントされる対象のおまけ画像のサムネイル画像５７が示される。
【０１４４】
送信画像選択画面５１が表示されているとき、ユーザが希望する画像を選択すると、その画像と、選択した画像を特定するための情報と、プレゼント対象となっているおまけ画像とが、送信画像としてサーバ６０１に送信される。
【０１４５】
本実施の形態では、送信画像選択画面５１で選択されなかった画像についても、サーバ６０１に属性情報とともに送信されるように構成されている。特段の指示がなくても画像は所定期間だけサーバ６０１に保存され、ユーザが所定の手順で事後的にその画像を求めたときに、その画像を提供できるように構成されている。例えば、所定の会員権を有する有料ユーザについては、送信画像選択画面５１で選択されなかった画像も含めた、そのプレイで撮影されたすべての画像を対象にして、提供画像作成機能が利用可能に構成されている。これに対し、一般ユーザについては、例えば、送信画像選択画面５１で選択された画像と、おまけ画像とを対象にして、提供画像作成機能が利用可能である。
【０１４６】
ここで、提供画像作成機能により作成可能な画像の例について説明する。
【０１４７】
図１６は、提供画像作成機能により作成される画像の例を示す図である。
【０１４８】
図１６において、上方の画像と下方の画像との２例が示されている。上方の画像は、画像中に１枚の写真画像又は合成画像（以下、写真画像と合成画像とを区別せず、単に写真画像又は「プリ画」ということがある）が含まれている、写真画像の領域数が１の画像である。また、上方の画像は、ユーザに指定された名前（図に示す「ＲＥＩＮＡ」の文字）が画像中に含まれている、「名前あり」タイプの画像である。
【０１４９】
他方、下方の画像は、画像中に２枚の写真画像が含まれている、写真画像の領域数が２の画像である。下方の画像は、上方の画像とは異なり、写真シール作成装置１で入力され、ユーザにより指定された名前は画像中には含まれていない、「名前なし」タイプの画像である。
【０１５０】
提供画像作成機能により作成される画像は、予め設定されているテンプレート（デザイン画像）に基づいて作成される。テンプレートは、「名前あり」、「名前なし」の各タイプ別に、領域数が１のものと２のものとが設けられている。ユーザは、このように予め設定された複数のテンプレートのうち、所望のものを選択することで、そのテンプレートに基づいた提供画像を作成することができる。
【０１５１】
図１７は、テンプレートの一例を示す図である。
【０１５２】
図１７においては、本実施の形態においてサーバ６０１が提供可能なテンプレート（サーバ６０１に予め設定されているテンプレート）が示されている。ここでは、「名前あり」であって領域数が１のテンプレートが３種類、「名前なし」であって領域数が１のテンプレートが３種類、「名前あり」であって領域数が２のテンプレートが３種類、「名前なし」であって領域数が２のテンプレートが３種類、それぞれ示されている。ユーザは、このような候補の中から所望のテンプレートを選択できる。
【０１５３】
図１８は、テンプレートについて管理されている情報について説明する図である。
【０１５４】
このようなテンプレートのそれぞれについては、次に示すような情報が対応付けられて、サーバ６０１に記憶されている。サーバ６０１は、ユーザから受け付けたユーザ指示に応じて、テンプレートの情報を用いて、テンプレートに対して写真画像を所定の位置に配置したり所定の範囲でトリミングしたりして、テンプレートと写真画像とを合成し、図１６に示されるような提供画像を生成できる。
【０１５５】
図１８には、「名前なし」であって領域数が１のテンプレートの例（上方）と、「名前あり」であって領域数が２のテンプレートの例（下方）とが示されている。ここで、上方のテンプレートは、フォント画像が含まれていないものである。すなわち、このテンプレートには、文字が画像として予め配置されており、文字部分の変更は行われないようになっている。他方、下方のテンプレートは、フォント画像が含まれているものである。下方のテンプレートにおいては、例えば写真シール作成装置１で入力され、ユーザによって指定された名前（例えば、「ＲＥＩＮＡ」など）に応じて、その所定の位置に文字列が所定のフォントで配置され、テンプレートの画像中に含められる。
【０１５６】
図１７に示すように、テンプレートごとにフォントのタイプは異なる。そのため、テンプレートごとに、対応したフォント画像データ（英大文字、英小文字、所定の記号等）をサーバに記憶されている。選択されたテンプレートに応じて、フォント画像データを読み出し、名前画像が生成される。
【０１５７】
各テンプレートについては、例えば、名前の有無の情報、フォント画像データ、及び領域数情報などの情報が記憶されている。また、各テンプレートの写真画像の領域については、各テンプレートの左上を原点座標（０，０）として、領域の左上部分の位置（Ｘ，Ｙ），（Ｘ１，Ｙ１），（Ｘ２，Ｙ２）を示す情報や、配置される写真画像の縦の画素数ｈ，ｈ１，ｈ２、写真画像の横の画素数ｗ，ｗ１，ｗ２などが管理されている。なお、テンプレートの縦の寸法（画素数）、テンプレートの横の画素数は、それぞれ、例えば６００ピクセル、９６０ピクセルであるが、これに限られるものではない。
【０１５８】
本実施の形態において、例えば図１８の上方に示されているテンプレートのように、写真画像は元々の向きから回転させて提供画像に含めることができる。すなわち、各テンプレートの各領域について、写真画像の角度θ，θ１（下方のテンプレートの左側に配置される写真画像の角度），θ２（下方のテンプレートの右側に配置される写真画像の角度）を示す情報も管理されている。
【０１５９】
［提供画像作成機能におけるサーバ６０１の動作の説明］
【０１６０】
写真シール作成装置１から送信画像が送信されると、サーバ６０１は、例えば次のように動作する。次で説明するサーバ６０１の動作は、サーバ６０１の制御部６５０が、制御プログラム６０７を実行してサーバ６０１の各部を制御することにより行われる。なお、本実施の形態では、サーバ６０１は、ユーザの所有する携帯端末７０１からのアクセスに応じて、携帯端末７０１に対して情報を提供する。また、ユーザにより携帯端末７０１に入力された操作に応じた情報を携帯端末７０１から受信し、その操作に応じて処理を行う。具体的には、サーバ６０１は、携帯端末７０１で動作するウェブブラウザの動作に応じて、ウェブサーバとして機能する。そして、ＨＴＭＬ（ハイパーテキスト記述言語）で記述された文書など、ウェブページ情報や画像情報を適宜携帯端末７０１に提供することで、表示部７１３にユーザが閲覧可能な画面を表示させる。なお、サーバ６０１が、携帯端末７０１で動作する所定のアプリケーションに対して所定の形式の情報や画像情報を提供することで、表示部７１３に画面表示が行われるように構成されていてもよい。
【０１６１】
図１９は、提供画像作成機能が開始されるまでの携帯端末７０１の表示画面の遷移を説明する第１の図である。
【０１６２】
図１９においては、一般ユーザ（無料ユーザ）が利用する場合の例が示されている。図１９に示されるように、送信画像がサーバ６０１に送信されると、ステップＳ３０１において、ユーザにより入力されたメールアドレスあてに、「プリ画Ｇｅｔメール」と呼ぶ電子メールがサーバ６０１から送信される。この電子メールには、ユーザが携帯端末７０１でアクセスして送信画像を取得できる旨の情報と、取得するためのアクセス先情報６１とが含まれる。アクセス先情報６１は、例えばサーバ６０１により提供されるウェブページを示すＵＲＬである。
【０１６３】
上述の電子メールを受け取ったユーザがアクセス先情報６１により示される場所にアクセスすると、ステップＳ３０２において、画像取得画面が表示される。画像取得画面では、ユーザが選択した２つの画像６３，６５のサムネイル表示が含まれる。ここで、一方の画像６３は通常の撮影により得られた画像のうち選択されたものである。また、他方の画像６５は、おまけらくがきにより得られた画像である。
【０１６４】
画像取得画面において、ユーザは、画像６５を選択する操作を行うと、ステップＳ３０３に示されるように、画像６５が拡大表示された画像６５ａが含まれる保存画面に遷移する。保存画面には、保存ボタン６９が表示されている。ユーザは、保存ボタン６９を選択する操作を行うことで、画像６５ａを取得することができる。
【０１６５】
すなわち、保存ボタン６９が操作されると、ステップＳ３０４において、携帯端末７０１の機能により画像６５ａを携帯端末７０１の記憶部７０５などに記憶する（保存）。
【０１６６】
他方、画像取得画面において画像６３を選択する操作が行われると、ステップＳ３０５に示されるように、画像６３が拡大表示された画像６３ａが含まれる保存画面に遷移する。この保存画面にも、保存ボタン６９が表示されており、ユーザは、保存ボタン６９を選択する操作を行うことで、画像６３ａを取得できる。
【０１６７】
ここで、画像６３ａが含まれる保存画面には、提供画像作成ボタン（ＴＯＰ画作成ボタン）６８が表示されている。ユーザは、提供画像作成ボタン６８を選択する操作を行うことで、提供画像作成機能を開始させることができる（Ｓ３０６）。
【０１６８】
なお、画像取得画面には、そのときプレイで撮影された画像をすべて取得するための案内６２が含まれている。ユーザは、案内６２で案内される先のウェブページにアクセスし、所定の手順（例えば、有料会員になるなど）をたどることで、すべての画像を取得できる。なお、このようなすべての画像を取得可能にするような手段は提供されなくてもよい。つまり、本実施例では、提供画像作成機能は、通常の写真画像の場合に提供し、おまけ画像の場合は提供しない。おまけ画像を用いて提供画像を作成する例については、後述する。
【０１６９】
図２０は、提供画像作成機能が開始されるまでの携帯端末７０１の表示画面の遷移を説明する第２の図である。
【０１７０】
図２０においては、有料ユーザが利用する場合の例が示されている。図２０に示されるように、有料ユーザの場合には、一般ユーザと異なり、複数の写真画像６３を選択可能な画像取得画面が表示される（Ｓ３０２ａ）。複数の写真画像６３のうち１つの写真が選択されると、その写真が拡大された写真画像６３ａが表示される。その他の動作は、図１９と同一である。
【０１７１】
提供画像作成機能は、大まかに次のような各状態を経て行われる。本実施の形態において、提供画像作成機能では、選択画面や、名前選択画面や、確認画像表示画面を経て、提供画像を生成できる。以下、これらの各画面を総称して編集画面ということがある。
【０１７２】
図２１は、提供画像作成機能を示す状態図である。
【０１７３】
図２１に示されるように、提供画像作成機能が開始されると、選択画面がサーバ６０１から提供され、ユーザの携帯端末７０１の表示画面に表示される（Ｓ３３１）。
【０１７４】
選択画面においては、デザイン選択（Ｓ３３３）、画像選択（Ｓ３３５）が行われる。ここで、画像選択が行われるときには、写真画像のうちどの部分を提供画像に表示させるか、位置調整を行うことができる（Ｓ３３６）。換言すると、写真画像を、トリミング（切り取り）を行ったうえで、提供画像に含めることができる。また、選択画面においては、画像追加（Ｓ３３７）を行うことができる。
【０１７５】
選択画面において選択された提供画像のデザイン画像（テンプレート）が、「名前あり」タイプのものである場合、名前選択画面に遷移する（Ｓ３４１）。名前選択画面では、提供画像に表示するユーザの名前を選択したり、指定したりできる。
【０１７６】
名前の選択が行われた場合、又は選択されたテンプレートが「名前なし」タイプのものである場合、確認画像の作成及び確認画像表示画面の表示が行われる（Ｓ３５１）。確認画像は、提供画像として生成される画像に対応するプレビュー表示である。
【０１７７】
確認画像表示画面においては、写真画像の位置調整を行うことができる（Ｓ３５３）。また、確認画像表示画面においては、提供画像に含める写真画像を変更することができる（Ｓ３５５）。確認画像表示画面に表示されている画像で問題なければ、そのまま、確認画像に対応する提供画像が生成される（Ｓ３６１）。
【０１７８】
図２２は、編集画面を示す第１の図である。
【０１７９】
提供画像作成機能が開始されると、図２２に示されるような編集画面１０１ａが表示される。編集画面１０１ａには、大まかに、デザイン選択部１１１と、画像選択部１１３と、画像追加ボタン１１５とが含まれている。
【０１８０】
デザイン選択部１１１には、選択可能なテンプレートの候補から選択されたテンプレートが表示される。なお、表示されている選択操作部等を操作したり、表示されているテンプレートの画像を左右にスライドさせたりすることにより、テンプレートの選択を行ったり、選択されているテンプレートを他のものに変更したりすることができる。図２２に示される例においては、例えば、２つの写真画像用の領域を含むテンプレートが選択されている。
【０１８１】
画像選択部１１３には、テンプレートに合成できる候補の写真画像が表示されている。図２２に示される例では、写真画像１１３ａ，１１３ｂ，１１３ｃの３つが表示されている。ユーザは、ここで表示されている写真画像を選択する操作を行うことで、テンプレートに合成して提供画像に含める画像を選択できる。図２２に示される例では、領域数が２のテンプレートが選択されているところ、２つの写真画像を選択するようにユーザに求めるメッセージが表示されている。
【０１８２】
画像追加ボタン１１５は、画像選択において選択候補となる画像を追加するために操作されるボタンである。画像追加ボタン１１５が操作されたときの動作は、後述する。
【０１８３】
ここで、編集画面１０１ａにおいて（後述の編集画面についても同様である。）、写真画像１１３ａ，１１３ｂ，１１３ｃは、それぞれ、その元となる写真画像のうち一部分の切り取り範囲のみが表示されている。編集画面１０１ａを表示するための情報は、編集画面１０１ａの構造を示す情報と、写真画像１１３ａ，１１３ｂ，１１３ｃの元となる写真シール作成装置１から送信された写真画像とを用いて表示されている。編集画面１０１ａの表示時に、写真シール作成装置１から送信された画像のうち一部分だけが編集画面１０１ａに表示される。
【０１８４】
図２３は、編集画面１０１ａに表示する写真画像について説明する図である。
【０１８５】
図２３に示されるように、写真画像１１３ｚが写真シール作成装置１からサーバ６０１に送信されているとき、サーバ６０１は、この写真画像１１３ｚのうち一部分を、選択候補の画像として編集画面１０１ａに表示させることができる。例えば、写真画像１１３ｚのうち、図２３に斜線ハッチングで示される領域をマスクして、左側の人物の顔を含む画像１１３ｙの部分だけを選択候補の画像１１３ｙとして表示させることができる。
【０１８６】
なお、表示させる領域は、写真画像１１３ｚについて顔認識処理を行うことで決定される。１つの写真画像１１３ｚが選択されたとき、その画像に含まれる顔の数だけ、個別の画像の候補画像が編集画面１０１ａで選択候補となるように設定できる。すなわち、図２３のような写真画像１１３ｚについては、２つの画像が編集画面１０１ａにおいて選択候補として表示される。
【０１８７】
図２２に示される例では、写真画像１１３ａ，１１３ｂは、このように１つの写真画像から、顔認識処理により他の部分がマスクされることで表示されている「顔画像」である。換言すると、１枚の写真画像から個々のユーザの顔を別画像にして示すものである。他方、写真画像１１３ｃは、撮影された写真画像の略全体を示す画像（「顔画像」に対して「プリ画」ということがある。）である。
【０１８８】
図２４は、編集画面を示す第２の図である。
【０１８９】
編集画面１０１ａにおいて、例えば画像１１３ａが選択されると、図２４に示されるような編集画面１０１ｂの表示が行われる。なお、以下、編集画面の構成等を説明するに当たり、それまでに説明した部分についての説明は繰り返さないことがある。
【０１９０】
図２４に示されるように、編集画面１０１ｂでは、選択された画像１１３ａに、画像１１３ａが選択されたことがわかるように表示が追加される。例えば、枠画像と、選択番号（１番目に選択され、テンプレート中の１番の領域に合成される画像）に関する画像とが付与される。また、編集画面１０１ｂには、選択された画像１１３ａについて、表示する位置を調整するための位置調整ボタン１１４が表示される。
【０１９１】
なお、画像１１３ａが未選択の場合は、位置調整ボタン１１４をグレー表示して受け付けできないようにしておき、画像１１３ａが選択された場合に、位置調整ボタン１１４を明るく表示し、位置調整を行うための操作を受け付けるようにしてもよい。
【０１９２】
なお、このとき選択されているテンプレートにおいて、領域数は２である。そのため、１つの画像１１３ａが選択された状態において、残り１つの画像が選択されるべきであり、もう１枚の画像の選択を促す表示が編集画面１０１ｂに表示されるようにすればよい。
【０１９３】
このように画像１１３ａが選択されている状態で、選択されている画像１１３ａ再度操作されると（タップ操作などが行われると）、画像１１３ａの選択状態が解除される。すなわち、図２４に示される状態の場合、図２２に示される、テンプレート中の「１」の領域にはめ込むための画像の選択状態に戻る。
【０１９４】
図２４に示される状態で、デザイン選択部１１１でテンプレートが変更されても、画像１１３ａの選択状態は維持されるようにすればよい。すなわち、この例の場合、別のテンプレートへのデザイン変更が行われても、変更後のテンプレートの「１」の領域に対して、画像１１３ａが選択された状態が維持されるようにすればよい。なお、このような動作に限られず、各テンプレートについて、画像の選択情報が保持されるようにしてもよい。すなわち、別のテンプレートに変更された場合、そのテンプレートに対して画像が選択されていなければ、図２２に示されるように画像が未選択の状態に戻って、編集画面が表示されるようにしてもよい。
【０１９５】
図２５は、位置調整ボタン１１４が操作されたときの編集画面を示す図である。
【０１９６】
図２５に示されるように、位置調整ボタン１１４が操作されると、位置調整用の編集画面１０１ｃが表示される。編集画面１０１ｃは、トリミング画面である。編集画面１０１ｃには、位置調整を行う対象となる写真画像１２１と、調整内容を確定する確定ボタン１２２ａと、調整を中止するキャンセルボタン１２２ｂとが含まれる。確定ボタン１２２ａが操作されると、そのときの調整内容で位置調整を行ったうえで、編集画面１０１ｃに遷移する直前の編集画面１０１ｂに戻る。キャンセルボタン１２２ｂが操作されると、それまでの調整内容を破棄し、位置調整が行われる直前の表示位置で写真画像が表示されるようにして、編集画面１０１ｃに遷移する直前の編集画面１０１ｂに戻る。
【０１９７】
編集画面１０１ｃにおいて、写真画像１２１のうち切り出す位置、範囲をフレーム１２１ａで指定することで、その写真画像１２１について編集画面１０１ｂに表示させる画像の位置を調整できる。フレーム１２１ａの写真画像１２１に対する大きさや位置は、例えば、ユーザが指を用いて携帯端末７０１のタッチパネルをなぞることで、容易に指定することができるように構成されている。
【０１９８】
なお、フレーム１２１ａ外は半透明のグレー表示などを行い、フレーム１２１ａの内部はそのままの表示とすることで、どの領域が切り出す範囲として選択されているかがわかりやすく表示されるようにしてもよい。フレーム１２１ａの縦横比は維持されるようにしてもよいし、縦横比を変更可能であってもよい。フレーム１２１ａのうちどの部位を操作するかによって、フレーム１２１ａの拡大縮小の中心の位置など、拡大縮小の挙動が変更されるようにしてもよい。
【０１９９】
なお、画像選択部１１３における各画像の表示サイズが、例えば横８０ドット（ピクセル）×縦８０ドットである場合において、編集画面１０１ｃで横１６０ドット×縦１６０ドットの範囲の画像が表示されるように調整された場合には、画像選択部１１３では、１６０ドット×１６０ドットの画像を８０ドット×８０ドットの大きさに縮小して表示するようにすればよい。
【０２００】
なお、位置調整は、選択された画像の属性に応じて、行えるかどうかが変更されるようにしてもよい。例えば、本実施の形態においては、選択された画像が、「顔画像」である場合（図に示される例において画像１１３ａ，１１３ｂである場合）、位置調整を上述のようにして行うことができる。
【０２０１】
他方、選択された画像が、「プリ画」である場合、位置調整は行われないようにしてもよい。
【０２０２】
図２６は、編集画面を示す第３の図である。
【０２０３】
画像選択部１１３において「プリ画」である画像１１３ｃが選択されているとき、図２６に示されるように、位置調整ボタン１１４は表示されない。
【０２０４】
図２７は、編集画面を示す第４の図である。
【０２０５】
図２４に示される編集画面１０１ｂにおいて、例えば画像１１３ｂが選択されると、図２７に示されるような編集画面１０１ｅの表示が行われる。すなわち、画像１１３ａがテンプレート中の「１」の領域に合成される画像として選択されている状態で、画像１１３ｂが選択されると、画像１１３ｂは「２」の領域に合成される画像となる。画像１１３ｂは「顔画像」であるため、画像１１３ｂが選択されると、画像１１３ｂについての位置調整を行うための位置調整ボタン１１４が表示される。
【０２０６】
この状態で、選択された画像１１３ａ，１１３ｂのいずれかが再度操作されると、その画像の選択状態が解除され、解除した領域の画像を選択する状態に戻る。すなわち、編集画面１０１ｅにおいて、画像１１３ａが操作された場合、「１」の領域に対する画像が未選択の状態となり、同領域に対する画像の選択を受け付ける状態となる。
【０２０７】
ここで、選択されているテンプレートの、画像を合成すべき領域の数と同数の２つの画像１１３ａ，１１３ｂが選択されているので、編集画面１０１ｅには、次へ進むための遷移ボタン１１９が表示される。なお、領域の数が１つのテンプレートが選択されているとき、１つの画像が選択された状態で、遷移ボタン１１９が表示されるようにすればよい。
【０２０８】
なお、このように２つの画像１１３ａ，１１３ｂが選択されている状態で、別のテンプレートへのデザイン変更が行われる場合を想定する。このとき、領域数が１つのデザインに変更された場合には、「１」の領域について選択された画像１１３ａが採用されるようにし、画像１１３ｂについての「２」の領域用であることを示すマークや枠の表示は一旦非表示となるように制御されればよい。このとき、画像１１３ｂが「２」の領域用に選択されているという情報は保持するようにし、再度領域数が２つのテンプレートにデザイン変更された場合に、図２７に示されるように表示するようにしてもよい。テンプレートと画像の選択情報との関係は、テンプレートごとに保持されるようにしてもよい。
【０２０９】
図２８は、画像追加ボタン１１５が操作されたときの編集画面を示す図である。
【０２１０】
画像追加ボタン１１５が操作されると、図２８に示されるように、編集画面１０１ｆの表示が行われる。編集画面１０１ｆには、画像の選択領域１２５と、選択内容を確定する確定ボタン１２６ａと、選択を中止するキャンセルボタン１２６ｂとが含まれる。確定ボタン１２６ａが操作されると、操作した内容を反映して直前の編集画面に戻る。キャンセルボタン１２６ｂが操作されると、それまで操作した内容を破棄し、編集画面１０１ｆに遷移する直前の編集画面に戻る。
【０２１１】
選択領域１２５には、利用できる画像が一覧表示される。既に提供画像作成機能で利用される対象として選択されている画像には、「選択済」マークが表示されており、その画像についての選択操作は受け付けられない。同じ画像を選択する必要がないためである。ユーザは、選択済みでない画像のうち、追加する画像を選択する操作を行う。画像を選択すると、選択したことを表すマークがその画像に表示される。この例では、左側上部の画像が選択されている。なお、複数の画像の選択が可能である。編集画面１０１ｆにおいて、確定ボタン１２６ａが操作されるまでは、既に選択した画像を再度操作することで、選択を解除できる。
【０２１２】
確定ボタン１２６ａが操作されると、選択された画像ごとに、その画像（「プリ画」）と、その画像を元にした顔認識処理により特定される顔画像とが、提供画像作成機能の対象となる画像として設定される。すなわち、確定ボタン１２６ａが操作されて遷移した編集画面では、このようにして新たに設定された画像が、画像選択画面に追加されて表示される。
【０２１３】
図２９は、編集画面を示す第５の図である。
【０２１４】
編集画面１０１ａから編集画面１０１ｆに遷移し、図２８に示されるような状態で確定ボタン１２６ａが操作されると、図２９に示されるような編集画面１０１ｇが表示される。すなわち、編集画面１０１ｇの画像選択部１１３においては、それまでの画像１１３ａ〜１１３ｃに加えて、編集画面１０１ｆを経て追加された画像１１３ｄ，１１３ｅ，１１３ｆが表示されている。このうち、画像１１３ｆが「プリ画」であり、画像１１３ｄ，１１３ｅは「顔画像」である。
【０２１５】
上述のような編集画面で遷移ボタン１１９が操作されると、サーバ６０１は、選択されているテンプレートが、「名前あり」のものであるか否かを判断する。サーバ６０１は、「名前あり」のものであれば、次に示すように名前選択画面を編集画面として表示し、それを経て確認画像表示画面を提供するようにする。他方、「名前なし」であれば、そのまま、確認画像表示画面を提供するようにする。
【０２１６】
図３０は、編集画面を示す第６の図である。
【０２１７】
図３０に示されるように、編集画面１０１ｈは、「名前あり」のデザイン（テンプレート）が選択されているときに表示される名前選択画面である。ユーザは、編集画面１０１ｈに対してユーザ指示を行うことで、提供画像に反映される名前について、編集できる。
【０２１８】
編集画面１０１ｈには、デザイン選択部１１１で選択されたテンプレートに基づくデザイン表示部１１１ａと、名前選択部１２７と、編集内容を確定する確定ボタン１２８ａと、編集を中止する戻るボタン１２８ｂとが含まれる。確定ボタン１２８ａが操作されると、編集内容を反映して、確認画像表示画面に移る。戻るボタン１２８ｂが操作されると、例えば、それまで操作した内容を破棄し、編集画面１０１ｈに遷移する直前の編集画面に戻る。なお、戻るボタン１２８ｂが操作されたときにも、確認画像表示画面に遷移するようにしてもよい。
【０２１９】
名前選択部１２７では、提供画像に反映させる名前の選択や名前の入力を行うユーザ指示が受け付けられる。本実施の形態において、名前選択部１２７は、最大２つの名前（名前１、名前２）を取り扱い可能であり、第１名前入力部１２７ａと、第２名前入力部１２７ｂとが設けられている。
【０２２０】
写真シール作成装置１から写真画像が送信されたとき、それに伴って送信された名前があれば、名前選択部１２７に表示される。すなわち、写真シール作成装置１から送信された情報のうち、名前１、名前２の両方ともが「ＮＵＬＬ」でなければ、図３０に示されるように、名前１（例えば図に示す「ＲＥＩＮＡ」）が第１名前入力部１２７ａに表示され、名前２（例えば図に示す「ＭＡＲＩＫＯ」）が第２名前入力部１２７ｂに表示された状態で、編集画面１０１ｈが表示される。ユーザは、第１名前入力部１２７ａか第２名前入力部１２７ｂを選択し、選択した方の名前が提供画像に用いられるようにすることができる。また、ユーザは、第１名前入力部１２７ａや第２名前入力部１２７ｂを選択し、名前を入力し直すことも可能である。
【０２２１】
ここで、写真シール作成装置１から送信された名前１、名前２のいずれかが「ＮＵＬＬ」であれば、名前選択部１２７において、入力部は１つだけが表示される。表示される入力部には、「ＮＵＬＬ」でない名前１又は名前２が表示され、その名前が提供画像に用いられる。また、写真シール作成装置１から送信された名前１、名前２の両方ともが「ＮＵＬＬ」であれば、入力部は１つだけ表示され、入力部は空欄となる。このとき、入力部のタップ操作を行うことで、その入力部に名前を入力できるようになる。入力部に名前が入力されている状態で、入力部のタップ操作を行うことで、入力部を選択状態にして、入力部に文字を入力できる。これにより、名前の入力修正が可能である。入力部においては、英字や、予め定められた所定の記号の入力が可能である。
【０２２２】
図３１は、編集画面を示す第７の図である。
【０２２３】
図３１に示されるように、編集画面１０１ｉは、確認画像表示画面である。編集画面１０１ｉには、確認画像１３１と、保存ボタン１３２ａと、作り直しボタン１３２ｂとが含まれている。作り直しボタン１３２ｂが操作されると、上述の選択画面に戻り、提供画像の編集を行えるようになる。
【０２２４】
保存ボタン１３２ａが操作されると、これまでの選択操作に基づいて、提供画像が生成される。提供画像としては、表示されている確認画像１３１と略同様に見えるものが生成される。すなわち、確認画像１３１は、提供画像のプレビュー表示である。提供画像の作成時には、選択されている画像（確認画像１３１において、画像１３１ａ，１３１ｂ）が、提供画像に適したものとなるように加工され、テンプレートの画像と合成される。
【０２２５】
すなわち、「プリ画」が選択されているときには、そのプリ画の位置、サイズ、及び角度が調整され、テンプレートの画像と合成される。また、「顔画像」が選択されているときには、その「顔画像」の元となる画像（「プリ画」）から、「顔画像」のトリミング処理が行われる。そして、トリミング処理が行われた画像について、位置、サイズ、角度等が調整され、テンプレートの画像と合成される。このとき、「プリ画」又は「顔画像」、テンプレート画像の順に上書き合成が行われ、提供画像が生成される。テンプレートが「名前あり」のものである場合などには、テンプレート画像の上に名前画像が上書き合成され、提供画像が生成される。生成された提供画像は、ユーザの携帯端末７０１などに保存される。
【０２２６】
ここで、編集画面１０１ｉにおいて、確認画像１３１中の画像１３１ａ又は画像１３１ｂが操作された場合には、その画像が編集対象の画像として特定され、編集モードに入る。編集モードでは、画像の位置調整や拡大縮小、画像の変更などを行うことができる。
【０２２７】
図３２は、編集モードに入った編集画面を示す図である。
【０２２８】
編集画面１０１ｉにおいて、画像１３１ａの操作が行われた場合、図３２に示されるように、画像１３１ａについての編集モードに入る。このとき、編集画面１０１ｊには、画像変更ボタン１３５と、拡大縮小操作部１３６とが表示される。
【０２２９】
編集画面１０１ｊにおいては、画像１３１ａについて示されている枠内のドラッグを行うことで、画像１３１ａのうち、確認画像１３１に表示される位置を調整できる。また、このとき、拡大縮小操作部１３６を操作することで、確認画像１３１に対する画像１３１ａの表示倍率を変更することができる。拡大縮小操作部１３６は、スクロールバー中のスライド可能なボタンを左右にスライドさせることで、表示されている編集対象の画像が、確認画像１３１に対して縮小又は拡大されるように構成されている。このようにドラッグ操作や拡大縮小操作を行うことで、画像１３１ａの元となる「プリ画」から、提供画像用にトリミングする位置と範囲を容易に調整できる。
【０２３０】
画像変更ボタン１３５は、画像１３１ａを別の画像に変更するために用いられる。画像変更ボタン１３５が操作されると、上述の編集画面における画像を選択するための画像選択部１１３が表示される。これにより、編集対象となっている画像の変更が受け付けられる。なお、編集対象となっていない画像の変更はできない。また、位置調整は行われなくてもよい。
【０２３１】
なお、本実施の形態において、位置調整ボタン１１４が操作された場合に、別の方法により位置調整を行うことができるようにしてもよい。
【０２３２】
図３３は、位置調整を行うための編集画面の一例を示す図である。
【０２３３】
例えば、図３３に示されるような編集画面１０１ｋが、上述の編集画面１０１ｃに代えて表示され、位置調整を行うためのユーザ指示が受け付けられるようにしてもよい。すなわち、編集画面１０１ｋにおいて、表示する範囲を示すフレーム１２３ａと、調整対象の画像１２３のうち表示対象となる部分１２３ｂと、拡大縮小操作部１２４とが表示されている。編集画面１０１ｋには、編集画面１０１ｃと同様に、調整内容を確定する確定ボタン１２２ａと、調整を中止するキャンセルボタン１２２ｂとが含まれている。
【０２３４】
編集画面１０１ｋでは、上述の編集画面１０１ｊにおける場合と同様に、画像１２３について位置調整を行うことができる。すなわち、ドラッグ操作を行うことで、フレーム１２３ａに対する画像１２３の位置を変更できる。また、拡大縮小操作部１２４を操作することで、画像１２３のフレーム１２３ａに対する拡大率を変更できる。これにより、画像１２３のうち、フレーム１２３ａの内側に表示される位置と範囲を調整でき、所望の位置と範囲の画像を用いて提供画像を作成できるように構成されている。
【０２３５】
以上説明したように、本実施の形態においては、写真シール作成装置１からサーバ６０１に写真画像等を送信した後で、ユーザの携帯端末７０１を用いてサーバ６０１にユーザ指示を行うことができる。したがって、ユーザは、写真シール作成装置１で制限時間を気にしながら提供画像を作成するような場合と比較して、ゆとりを持って、所望の提供画像を作成することができる。したがって、写真シール作成装置１の稼働率を低下させることなく（１回のプレイ時間を短縮しつつ）、ユーザの満足度を向上させることができる。
【０２３６】
［第２の実施の形態］
【０２３７】
第２の実施の形態における写真シール遊戯システムの基本的な構成は、第１の実施の形態におけるそれと同じであるためここでの説明を繰り返さない。第２の実施の形態においては、第１の実施の形態とは異なる態様の編集画面を介して、提供画像を作成できる。
【０２３８】
第２の実施の形態においては、１画面の編集画面中で、作成中の提供画像のプレビュー表示を確認しながら、提供画像を作成することができる。
【０２３９】
図３４は、第２の実施の形態における編集画面を示す第１の図である。
【０２４０】
図３４に示されるように、提供画像作成機能が開始されると、編集画面２０１ａが表示される。編集画面２０１ａには、大まかに、プレビュー表示部２１１と、編集部２１３と、決定部２１９とが設けられている。
【０２４１】
プレビュー表示部２１１には、作成中の提供画像のプレビュー画像が表示される。ユーザは、プレビュー表示部２１１を見ることで、提供画像のイメージを確認しながら、編集操作を行うことができる。なお、テンプレートが選択されていないときには、提供画像の例や作成手順等、提供画像作成機能についての案内表示が行われるように構成されている。なお、プレビュー表示部２１１の下部には、現在の状態におけるユーザに対する指示や操作案内等が表示されている。これにより、ユーザは、迷うことなく、スムーズに提供画像を作成することができる。
【０２４２】
第２の実施の形態において、編集部２１３に、タブ切替え型のユーザインタフェースが採用されている。編集部２１３では、各タブを切り替える操作を行うことで、種々の編集用の画面を表示させることができる。これにより、編集画面の画面全体を次々と異なる画面に遷移させることなく、提供画像の作成を効率的に進めることができる。
【０２４３】
編集部２１３では、例えば、テンプレート画像を選択する「デザイン選択」、テンプレート画像にはめ込む画像を選択する「画像選択」、及びはめ込む画像の位置を調整する「トリミング」の機能を選択することができる。なお、テンプレート画像が選択されていないデフォルト状態では、「画像選択」と「トリミング」は選択できないように、例えばグレー表示されている。「画像選択」はテンプレート画像が選択されると、選択できるようになり、「トリミング」は画像が選択されると選択できるようになる。
【０２４４】
編集画面２０１ａにおいて、編集部２１３では、「デザイン選択」タブが選択されている。このタブが選択されている状態において、編集部２１３には、選択可能なテンプレートが一覧表示されている。ここで、テンプレートは、「名前あり」と「名前なし」とに分かれて、別のタブ別で表示されている。「名前あり」と「名前なし」とのいずれかをタブで選択したうえで、所望のテンプレートを選択できる。
【０２４５】
決定部２１９は、編集画面２０１の下部に表示されている。決定部２１９は、編集内容を確定するためのボタンであるが、少なくとも、テンプレート及び提供画像に表示させる画像が選択され、提供画像が生成可能な状態になるまでは操作不能である。決定部２１９は、操作可能になるまで、例えばグレー表示されている。
【０２４６】
図３５は、第２の実施の形態における編集画面を示す第２の図である。
【０２４７】
上述の編集画面２０１ａが表示されている状態から次のような操作が行われることにより、図３５に示されるように、編集画面が変化する。
【０２４８】
編集画面２０１ａにおいて、例えば、「名前なし」のテンプレートのうち１つが選択されると、編集画面２０１ｂに示されるようになる。すなわち、編集部２１３において、選択されたテンプレート上に、現在選択されている画像であることを表す枠が表示される。また、選択操作に伴い、携帯端末７０１がサーバ６０１からテンプレートのデザイン画像を読み込み、読み込んだ画像が、プレビュー表示部２１１に大きく表示される。このようにテンプレートが選択されると、「画像選択」タブを選択することが可能となる。編集画面２０１ｂには、画像を選択するように促す案内が表示される。
【０２４９】
ここで、別のテンプレートを選択する操作が行われると、プレビュー表示部２１１は、それに応じて変更される。
【０２５０】
例えば、編集画面２０１ｂに示される状態において、「名前あり」タブが選択されると、編集画面２０１ｃとして示される表示に変わる。編集画面２０１ｃにおいて、編集部２１３には、「名前あり」のテンプレートが選択可能に一覧表示される。
【０２５１】
ここで、「名前あり」のテンプレートの１つを選択する操作が行われると、編集画面２０１ｄとして示される表示に変わる。すなわち、編集画面２０１ｄにおいて、プレビュー表示部２１１には、このとき選択されたテンプレートのデザイン画像が、サーバ６０１から読み込まれて表示される。すなわち、それまで表示されていた画像から、新たに選択されたテンプレートの画像に切り替えられる。また、「名前あり」のテンプレートが選択されていたので、名前選択入力部２１５が編集画面２０１ｄに表示される。名前選択入力部２１５においては、第１の実施の形態と同様に、２人分の名前入力部１２７ａ，１２７ｂが配置され、提供画像に用いる名前の選択や、名前の変更入力又は新規入力を行うことができるように構成されている。
【０２５２】
「名前あり」のテンプレートが選択されている場合において、名前選択入力部２１５で名前の選択や変更が行われた場合には、それに応じて、プレビュー表示部２１１の表示内容も変更される。これにより、ユーザは、生成される予定の提供画像を確認しながら、所望の提供画像が得られるように効率的に提供画像作成機能を利用することができ、ユーザの満足度が高くなる。このとき、名前選択入力部２１５への入力を行う操作や、名前の選択操作などがユーザ指示として行われると、サーバ６０１にその情報が送信されることで、プレビュー表示部２１１の表示画像に反映されるようにすればよい。なお、サーバ６０１でのプレビュー表示部２１１用の画像の生成に時間がかかったり、その他の時間を要する処理をサーバ６０１に要求したりした場合には、例えば、プレビュー表示部２１１の画像に重ねて、サーバ６０１にアクセス中であることを示すマークを表示するようにしてもよい。
【０２５３】
なお、名前選択入力部２１５が表示されている状態において、「名前なし」のテンプレートが新たに選択された場合には、名前選択入力部２１５が非表示になるように構成されていてもよい。このとき、それまで入力されたり編集されたりした情報は、提供画像が生成されるまで保持されるようにしてもよい。
【０２５４】
図３６は、第２の実施の形態における編集画面を示す第３の図である。
【０２５５】
編集画面２０１ｄにおいて、編集部２１３の「画像選択」タブが選択されると、図３６に示されるように、編集画面２０１ｅが表示される。編集画面２０１ｅにおいて、編集部２１３には、画像の選択部２１３ｂが表示される。
【０２５６】
上述のようにテンプレートが選択されただけの状態では、テンプレート画像に合成する写真画像が選択されていないので、選択部２１３ｂの画像に、選択枠などは表示しない。このとき、プレビュー表示部２１１には、画像の選択を受け付けている対象となる領域を示す枠（二点鎖線で示す）が表示される。なお、「トリミング」タブは、少なくとも１枚の写真画像が選択されるまで、受付可能とならない。
【０２５７】
選択部２１３ｂには、「お気に入り」タブと、「お気に入りに追加」タブとが示されている。編集画面２０１ｅでは、「お気に入り」タブが選択されている。「お気に入り」タブには、選択可能な画像のうち、ユーザにより選ばれた画像又は自動的に選ばれた画像が表示されている。「お気に入り」タブの画像は、提供画像に表示される画像として選択される。「お気に入り」タブの画像が選択されたとき、プレビュー表示部２１１の表示が更新される。
【０２５８】
他方、「お気に入りに追加」タブには、その他の写真画像が表示される。「お気に入りに追加」タブに属する画像は、ユーザによる指示に基づいて「お気に入り」タブに追加されて、提供画像に表示するために選択可能になる。
【０２５９】
このように、プレビューの更新を伴う「お気に入り」と、プレビューの更新を伴わず「お気に入り」への画像登録の更新をするための「お気に入りに追加」とに分けて、「お気に入り」タブの画像を選択対象とすることにより、次の効果が得られる。すなわち、選択した画像をプレビュー表示部２１１にリアルタイムに反映させることができ、かつ、操作に伴うサーバ６０１へのアクセス回数を減らして操作性を高めることができる。「お気に入り」としてある程度絞り込んだ選択肢からユーザが選択するので、ユーザにとって選択するのが容易になり、かつ、画像選択の自由度も向上させることができる。
【０２６０】
なお、「お気に入り」タブには、デフォルト状態で、例えば次のように画像が登録されるように構成されていればよい。例えば、最初に、写真シール作成装置１で送信対象として選択された写真画像である「プリ画」と、その画像から顔認識処理により特定された「顔画像」とが登録され、「お気に入り」タブに表示される。編集部２１３について、「画像選択」タブが選択されたとき、デフォルト状態では「お気に入り」タブが選択される。
【０２６１】
なお、おまけ画像から顔画像の特定は行わないようにすればよい。有料ユーザであって、写真シール作成装置１で選択した画像がおまけ画像でない場合には、「プリ画」と「顔画像」とともに、おまけ画像も表示されるようにしてもよい。
【０２６２】
ここで、選択部２１３ｂには、自動特定ボタン（「おまかせ」ボタン）２１４ｂと、左右入替ボタン２１４ａとが表示される。
【０２６３】
自動特定ボタン２１４ｂは、画像選択の操作性や容易性を高めるために表示されている。すなわち、自動特定ボタン２１４ｂが操作されると、現在「お気に入り」タブに登録されている画像の中から、２枚の画像が特定され、選択される。
【０２６４】
ここで、同一の「プリ画」から特定された「顔画像」２枚の組み合わせでは、元の「プリ画」と同じような画像が得られることになってしまう。そのため、例えば、「プリ画」１枚と、その「プリ画」から特定された「顔画像」１枚との組み合わせや、ある「プリ画」から特定された「顔画像」１枚と、別の「プリ画」から特定された「顔画像」１枚との組み合わせなど、異なる種類の画像が優先的に組み合わされるようにすることが好ましい。なお、自動特定ボタン２１４ｂが操作されるたびに、所定のルールに従って、２枚の画像が特定されるようにしてもよい。このとき、サーバ６０１にプレビュー表示部２１１の画像の生成が要求されることで、プレビュー表示部２１１の表示内容が更新されるようにしてもよい。
【０２６５】
左右入替ボタン２１４ａは、領域数が２であるテンプレートが選択されている場合において、容易に２つの画像を互いに入れ替えるために用いられる。左右入替ボタン２１４ａは、領域数が２であるテンプレートが選択されている場合において、２枚とも画像が選択済みである場合に、操作可能となる。左右入替ボタン２１４ａが操作されると、テンプレートの２つの領域のそれぞれに対して選択されている画像が、互いに入れ替えられる。このとき、サーバ６０１にプレビュー表示部２１１の画像生成が要求され、プレビュー表示部２１１の表示内容が更新される。
【０２６６】
図３７は、第２の実施の形態における編集画面を示す第４の図である。図３８は、第２の実施の形態における編集画面を示す第５の図である。
【０２６７】
編集画面２０１ｅが表示されている状態において、「お気に入りに追加」タブが選択されると、例えば、図３７に示されるように、編集画面２０１ｆが表示される。編集画面２０１ｆでは、ユーザが有料ユーザであるか一般ユーザであるかの種別に応じて、そのユーザが利用できる画像の一覧が、選択部２１３ｂに表示される。
【０２６８】
選択部２１３ｂに表示されうる画像は、すべての「プリ画」、おまけ画像（おまけ画像がある場合）、すべての「プリ画」から顔認識処理により生成されたすべての「顔画像」が、この順に表示されるようにすればよい。一覧性を高めるため、表示される画像のサイズは、「お気に入り」タブにおいて表示される画像のサイズより小さくしてもよい。１画面内に表示しきれない場合には、画面単位でスクロールして各画像を表示できるようにすればよい。
【０２６９】
編集画面２０１ｆでは、現在「お気にいり」タブに登録されている画像に、マークが示されている。ユーザは、マークされていない画像をタップすることでその画像を選択し、マークされている画像をタップすることでその画像の選択を解除できる。なお、デフォルト状態で「お気に入り」タブに登録されている画像は、選択解除できないようになっていてもよい。
【０２７０】
このような画像の選択操作を行った後、ユーザは、更新ボタン（「お気に入り更新」ボタン）２１４ｃをタップすることで、「お気に入り」タブに登録する画像を更新させることができる。これにより、「お気に入りに追加」タブでマークされた画像が「お気に入り」タブに登録され、マークされていない画像について同タブへの登録が解除される。編集画面２０１ｆにおいて更新ボタン２１４ｃが操作されると、図３８に示されるように、編集画面２０１ｇが表示される。すなわち、更新ボタン２１４ｃがタップされると、自動的に「お気に入り」タブが選択されている状態に切り替わる。
【０２７１】
図３９は、第２の実施の形態における編集画面を示す第６の図である。
【０２７２】
２つの領域のうち左側の領域（「１」の領域）にはめ込まれる画像の選択を受付中である編集画面２０１ｇが表示されている状態において、１枚の画像が選択されると、図３９に示されるように、編集画面２０１ｈが表示される。すなわち、「１」の領域に対して選択済みであることを示すマークが、選択された画像に重ねて表示される。また、サーバ６０１に画像更新が要求され、プレビュー表示部２１１の画像が更新される。そして、２つの領域のうち右側の領域（「２」の領域）にはめ込まれる画像の選択を受け付ける状態になる。また、このとき、「トリミング」タブの選択が可能となり、トリミングの受け付けが可能となる。
【０２７３】
ここで、第２の実施の形態において、提供画像用に選択されている画像は、「お気に入り」タブからの登録解除ができなくなるように、制限されている。すなわち、「お気に入りに追加」タブを選択しても、当該画像には、「１」の領域に対して選択されていることを表すマークが表示され、解除のための操作が受け付けられないように制御されている。
【０２７４】
なお、このように画像が選択された状態で、「デザイン選択」タブが選択されて、現在とは異なるテンプレートが選択されると、サーバ６０１に画像更新が要求され、新しく選択されたテンプレートに基づいて、プレビュー表示部２１１の表示内容が更新される。このとき、上述の第１の実施の形態と同様に、画像の選択状態は維持されるように構成されていてもよいし、そうでなくてもよい。
【０２７５】
図４０は、第２の実施の形態における編集画面を示す第７の図である。
【０２７６】
編集画面２０１ｈにおいて、「２」の領域にはめ込まれる画像が選択されると、図４０に示されるように、編集画面２０１ｉが表示される。すなわち、そのとき選択された画像について、「２」の領域に対して選択済みであることを示すマークが重ねて表示される。また、サーバ６０１と通信が行われ、プレビュー表示部２１１の画像が更新される。
【０２７７】
このとき、左右入替ボタン２１４ａの選択が可能となる。また、決定部２１９が操作可能となる。
【０２７８】
図４１は、第２の実施の形態における編集画面を示す第８の図である。
【０２７９】
編集画面２０１ｉにおいて、左右入替ボタン２１４ａが操作されると、図４１に示されるように、編集画面２０１ｊが表示される。すなわち、左右入替ボタン２１４ａが操作されると、上述のように、「１」の領域にはめ込まれる画像が「２」の領域にはめ込まれる画像となり、「２」の領域にはめ込まれる画像が「１」の領域にはめ込まれる画像となる。このとき、選択部２１３ｂにおいて選択されている画像に重ねて表示されているマークも、入れ替わる。左右入替ボタン２１４ａの操作に伴い、サーバ６０１との通信が行われ、プレビュー表示部２１１の表示内容も更新される。
【０２８０】
図４２は、第２の実施の形態における編集画面を示す第９の図である。
【０２８１】
編集画面２０１ｉにおいて、プレビュー表示部２１１に表示されている画像のうち、例えば「１」の領域をタップして選択する操作が行われ、「トリミング」タブが選択されると、図４２に示されるように、編集画面２０１ｋが表示される。このように、プレビュー表示部２１１のうち、写真画像が配置される領域をタップする操作が行われ、その領域についての画像選択状態になると、その領域にはめ込む画像のトリミング位置と範囲の調整を行うことができる。
【０２８２】
なお、提供画像中に写真画像をはめ込む２つの領域が設定されている場合、同一の「プリ画」について互いに異なる範囲をトリミングにより指定して表示させることができる。すなわち、トリミング情報は、領域ごとに保持される。
【０２８３】
編集画面２０１ｋにおいて、編集部２１３で「トリミング」タブが選択されると、トリミング操作部２１３ｃが表示される。トリミング操作部２１３ｃでは、プレビュー表示部２１１で選択されている領域にはめ込む画像の、元画像に対するトリミングの位置及び範囲の指定が受け付けられる。トリミング操作部２１３ｃの構成は、上述の図３３に示されるものと略同一である。
【０２８４】
すなわち、トリミング操作部２１３ｃには、対象となる領域の縦横比の形状と同じ比率の形状の枠が表示される。枠内には、現在の、元画像に対するトリミング位置や範囲を元に、画像が表示される。操作しやすくするため、トリミング操作部２１３ｃに表示される画像の大きさは、プレビュー表示部２１１に表示される画像のサイズの約２倍に設定されている。枠内をタップし、ドラッグすることで、非表示部を含む画像全体が移動し、元画像に対するトリミング位置を調整することができる。なお、トリミング位置の調整時において、画像が移動可能な範囲は、画像周囲の４辺のいずれもが、枠の内側に入らない範囲までに制限されている。
【０２８５】
トリミング操作部２１３ｃの下部には、トリミング範囲を調節するためのスクロールバーが表示されている。スクロールバーのポイントを左の方にスライドさせることで、表示されている画像を縮小し、トリミング範囲を広くすることができる。それと反対に、スクロールバーのポイントを右の方にスライドさせることで、表示されている画像を拡大し、トリミング範囲を狭くすることができる。トリミング範囲は、最も広い範囲となる場合（画像が枠に対して最小となる場合）において、元画像の短辺が、それと対応する枠の辺の長さと同じ長さとなるように制限されている。また、最も狭い範囲となる場合（画像が枠に対して最大となる場合）において、元画像を２〜３倍程度に拡大表示した大きさに対応する範囲となるように制限されている。また、トリミング範囲の基準点は、枠の中心部に対応する元画像の位置を基準とする。ただし、この基準点を元に画像が縮小する途中に、画像のいずれかの角が枠の角と一致し、さらに縮小が可能な場合は、その角を基準に縮小し、元画像の短辺が対応する枠の辺と同じ長さとなる範囲まで縮小する。
【０２８６】
このように、トリミング操作部２１３ｃに表示される画像は、ユーザ指示に伴って移動したり、拡大縮小したりする。操作が行われ、操作前よりトリミング位置や範囲が変更されている場合には、その位置情報や範囲情報がサーバ６０１に送信される。サーバ６０１は、これらの情報を元に、プレビュー表示部２１１の画像を生成し、プレビュー表示部２１１の表示内容を更新する。なお、編集画面２０１ｋに更新ボタンを設け、ユーザが更新ボタンを操作したときに、プレビュー表示部２１１の表示内容が更新されるようにしてもよい。
【０２８７】
なお、調整したトリミング位置及び範囲の情報は保持されており、テンプレートが変更されても、その情報に基づいた画像が表示されるように構成されている。このようにテンプレートが変更された場合において、画像がはめ込まれる領域の形状が変更前後で異なる場合は、トリミング位置（例えば左上角の位置）を基準に、変更後の形状に基づいてトリミング範囲が変更されるようにしてもよい。
【０２８８】
以上説明したように、第２の実施の形態においても、第１の実施の形態と同様の効果が得られる。第２の実施の形態においては、編集画面が１画面で表示され、編集部２１３に、タブ切替え型のユーザインタフェースが採用されている。したがって、操作が視覚的にわかりやすくなっており、ユーザは、より容易に、携帯端末７０１を用いて、提供画像を作成し、取得することができる。編集画面においては、取得できる提供画像がプレビュー表示されるため、ユーザは、所望の提供画像を効率良く作成することができる。
【０２８９】
［第３の実施の形態］
【０２９０】
第３の実施の形態における写真シール遊戯システムの基本的な構成は、第１の実施の形態におけるそれと同じであるためここでの説明を繰り返さない。第３の実施の形態においては、第１の実施の形態とは異なる態様の編集画面を介して、提供画像を作成できる。
【０２９１】
写真シール遊戯システム９０１において、写真シール作成装置１からサーバ６０１に画像を送信する際、通信経路の都合などによって、画像サイズが制限される場合がある。例えば、通常の写真画像は、比較的小さいサイズ（画素数）に縮小された状態でサーバ６０１に送信される。そのため、このような写真画像を元画像として「顔画像」を生成すると、「顔画像」のサイズは小さくなる。このようなサイズの小さい「顔画像」などを用いて、ある程度大きい提供画像を作成する場合には、「顔画像」などを拡大する必要があり、画像の見た目が悪くなるという問題がある。これに対して、おまけ画像は、元々携帯端末７０１で取得されたり、トリミングされて用いられたりすることが前提となっているものであり、比較的大きなサイズでサーバ６０１に送信される。第３の実施の形態では、このような比較的大きなサイズのおまけ画像を用いて、容易に、提供画像が作成される。
【０２９２】
第３の実施の形態においては、サーバ６０１に、おまけ画像の形状に応じたテンプレートが予め記憶されており、テンプレートを選択するだけで、極めて容易に提供画像を作成できる。すなわち、第３の実施の形態においては、おまけ画像を用いて、提供画像作成機能を実行することができる。
【０２９３】
図４３は、おまけ画像の形状例について説明する図である。
【０２９４】
図４３に示されるように、写真シール作成装置１は、例えば次の４種類の形状のおまけ画像を取り扱うように構成されている。すなわち、「正方形」の画像３０５ａ、「ヨコ」の画像３０５ｂ、「タテ」の画像３０５ｃ、及び「タテ長」の画像３０５ｄの４種類である。なお、縦辺と横辺との縦横比は、「正方形」が１：１の、「ヨコ」が３：４、「タテ」が４：３、「タテ長」が１６：９である。
【０２９５】
写真シール作成装置１からサーバ６０１におまけ画像が送信されるとき、おまけ画像の形状に関する情報（上述の４種類のいずれであるか）や、おまけ画像の元の写真画像の属性情報や、ユーザの名前に関する情報が、あわせてサーバ６０１に送信される。サーバ６０１は、これらの情報を記憶する。
【０２９６】
また、サーバ６０１は、次のものを記憶している。すなわち、おまけ画像の形状ごとのテンプレートのデザイン画像と、「名前あり」のテンプレートに対応して設定されたフォントデータとを記憶している。ここで、テンプレートとしては、例えば、４種類の形状のそれぞれについて、４種類のデザインが設定されており、さらに、それぞれについて「名前あり」及び「名前なし」が設定されている。すなわち、例えば３２種類のテンプレートが設定されている。なお、撮影時の属性情報（元となった「プリ画」の情報なども含む）も用いられる場合には、その情報ごとに区分し、さらに多くのテンプレートが設定されるようにしてもよい。
【０２９７】
図４４は、第３の実施の形態において提供画像作成機能が開始されるまでの携帯端末７０１の表示画面の遷移を説明する図である。
【０２９８】
図４４においては、一般ユーザが利用する場合の例が示されている。ここで、ステップＳ４０１及びステップＳ４０２の動作は、上述の第１の実施の形態におけるステップＳ３０１及びステップＳ３０２の動作と同様である。
【０２９９】
第３の実施の形態において、ユーザは、画像取得画面において、画像３６５を選択する操作を行うと、ステップＳ４０３に示されるように、画像３６５が拡大表示された画像３６５ａが含まれる保存画面に遷移する。保存画面には、保存ボタン３６９と、提供画像作成ボタン（ＴＯＰ画作成ボタン）３６８が表示されている。ユーザは、保存ボタン３６９を選択する操作を行うことで、画像３６５ａを取得することができる。なお、保存ボタン３６９が選択されたときの動作（Ｓ４０４）は、第１の実施の形態のステップＳ３０４の動作と同一であるため、ここでの説明は行わない。
【０３００】
他方、画像取得画面において画像３６３を選択する操作が行われると、ステップＳ４０５に示されるように、画像３６３が拡大表示された画像３６３ａが含まれる保存画面に遷移する。この保存画面にも、保存ボタン３６９が表示されており、ユーザは、保存ボタン３６９を選択する操作を行うことで、画像３６３ａに対応する画像を取得できる。
【０３０１】
ここで、画像３６５ａが含まれる保存画面には、提供画像作成ボタン（ＴＯＰ画作成ボタン）３６８が表示されている。ユーザは、提供画像作成ボタン３６８を選択する操作を行うことで、提供画像作成機能を開始させることができる（Ｓ４０６，Ｓ４０７）。なお、ステップＳ４０７において提供画像作成機能が実行される前に、ステップＳ４０６において、デザイン一覧表示が行われるが、これに限られるものではない。デザイン一覧表示は、例えば、ユーザの携帯端末７０１の表示画面に、送信されたおまけ画像３６５の形状に対応する所定のテンプレートのデザイン画像を一覧表示することで行われる。
【０３０２】
以下、例えば「正方形」形状のおまけ画像３６５を対象に提供画像作成機能が行われる例について説明する。
【０３０３】
図４５は、第３の実施の形態における編集画面を示す図である。
【０３０４】
提供画像作成機能が開始されると、まず、携帯端末７０１の表示画面に、編集画面３０１ｂが表示される。図４５に示されるように、編集画面３０１ｂは、上述の第２の実施の形態と同様に、プレビュー表示部３１２と、編集部３１３と、決定部３１９とを含むものである。
【０３０５】
編集部３１３は、テンプレートを選択するために表示されているものである。第３の実施の形態では、「正方形」形状であるおまけ画像３６５に対応する、「名前あり」と「名前なし」とそれぞれ４種類、合計８種類のテンプレートが、選択可能に一覧表示される。なお、テンプレートの数はこれに限られない。また、図４５においては、「名前あり」と「名前なし」とがタブ切替え型のユーザインタフェースを用いて表示されているが、これに限られるものではない。
【０３０６】
プレビュー表示部３１２には、生成される提供画像に対応する画像が表示される。第３の実施の形態では、提供画像に用いられる画像はおまけ画像であり、編集画面３０１ｂの表示時において既に決まっているため、編集画面３０１ｂが表示された最初のときから、プレビュー表示部３１２が表示されるようにすればよい。このとき、テンプレートとしては、適当なものが自動的に選択されていればよい。
【０３０７】
決定部３１９は、提供画像を生成する際に操作される決定ボタンである。第３の実施の形態においては、上述のように編集画面３０１ｂが表示される初期状態において既に提供画像が生成可能であるため、決定部３１９は、当初から操作可能に表示されている。
【０３０８】
編集画面３０１ｂにおいて、編集部３１３の「名前あり」タブが選択されると、編集画面３０１ｃが表示される。また、編集画面３０１ｃにおいて、「名前あり」のテンプレートが選択されると、編集画面３０１ｄが表示される。編集画面３０１ｄにおいては、選択されたテンプレートに対応するようにサーバ６０１が表示内容を更新したプレビュー表示部３１２が表示されている。
【０３０９】
編集画面３０１ｄでは、「名前あり」のテンプレートが選択されるのに伴って、上述の実施の形態と同様に、名前選択入力部３１５が表示される。名前選択入力部３１５において選択されたり、入力、変更されたりした結果に伴って、サーバ６０１は、プレビュー表示部３１２の表示を更新する。
【０３１０】
このように編集した結果、ユーザは、決定部３１９を操作することで、サーバ６０１により提供画像を作成させ、携帯端末７０１にその提供画像を保存することができる。
【０３１１】
このように、第３の実施の形態においては、上述の第１の実施の形態の効果及び第２の実施の形態の効果が得られるほか、次のような効果が得られる。すなわち、おまけ画像を用いて、極めて容易に提供画像を作成できる。また、おまけ画像の形状に対応するテンプレートが予めサーバ６０１に設定されており、おまけ画像の形状に基づいて、適切なテンプレートが候補として提示されるので、デザイン的に整った提供画像を容易に作成できる。
【０３１２】
［その他］
【０３１３】
上述の各実施の形態におけるそれぞれの特徴点などが互いに組み合わされたり、一部が設けられていなかったりしてもよい。
【０３１４】
提供画像に用いられるものとして選択された写真画像の属性に基づいて、サーバが、用いられるテンプレートや、その他の提供画像の作成時に考慮される編集事項等の一部などを自動的に設定するようにしてもよい。また、例えば、写真画像の色調や撮影モード、背景色などに応じて、選択される候補となるテンプレートなどが変更されて、編集画面が表示されるようにしてもよい。
【０３１５】
上述の実施の形態において、トリミングを行う場合のアスペクト比は、１対１に限られるものではない。いずれのサービス用のアイコン画像を作成するか、ユーザによる選択を受け付け、その受け付け結果に応じて、自動的にトリミングを行うアスペクト比が設定されるようにしてもよい。
【０３１６】
上述の実施の形態において、画像提供サーバが行う動作を、別の画像処理装置が行うようにしてもよい。例えば、写真シール作成装置と通信可能な別の写真シール作成装置が、画像処理装置として機能するようにしてもよい。また、１台の写真シール作成装置の内部に、上述の実施の形態においてその写真シール作成装置と連携して提供画像作成機能を行うサーバと同様の動作を行う装置が内蔵されていてもよい。写真シール遊戯システムにおいて、各装置の役割分担は上述に限られるものではない。全体として、写真シール作成装置として機能する装置と画像処理装置として機能する装置とが、全体として上述のような動作を行う写真シール遊戯システムを構成するようにすればよい。
【０３１７】
上述の実施の形態における処理は、ソフトウェアによって行っても、ハードウェア回路を用いて行ってもよい。
【０３１８】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０３１９】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０３２０】
１  写真シール作成装置
５０１  制御部
５０２  ＣＰＵ
５０３  メモリ
５０４  画像処理部
５０５  記憶部
５０７  制御プログラム
５０９  通信部
５１５  カメラ（撮影手段）
５７０  編集出力装置
５７５  シール排出口
５８０  編集受付部
５８１  編集モニタ
５８３  タッチペン
５８５  非接触通信装置
５８７  スピーカ
６０１  画像提供サーバ（画像処理装置の一例）
６０３  通信部
６０５  記憶部
６０７  制御プログラム
６５０  制御部
７０１  携帯端末
７０３  通信部
７０５  記憶部
７０７  制御プログラム
７１１  操作部
７１３  表示部
７５０  制御部
８０１  ネットワーク
９０１  写真シール遊戯システム
【図１】
2015011190.tif 000003
【図２】
2015011190.tif 000004
【図３】
2015011190.tif 000005
【図４】
2015011190.tif 000006
【図５】
2015011190.tif 000007
【図６】
2015011190.tif 000008
【図７】
2015011190.tif 000009
【図８】
2015011190.tif 000010
【図９】
2015011190.tif 000011
【図１０】
2015011190.tif 000012
【図１１】
2015011190.tif 000013
【図１２】
2015011190.tif 000014
【図１３】
2015011190.tif 000015
【図１４】
2015011190.tif 000016
【図１５】
2015011190.tif 000017
【図１６】
2015011190.tif 000018
【図１７】
2015011190.tif 000019
【図１８】
2015011190.tif 000020
【図１９】
2015011190.tif 000021
【図２０】
2015011190.tif 000022
【図２１】
2015011190.tif 000023
【図２２】
2015011190.tif 000024
【図２３】
2015011190.tif 000025
【図２４】
2015011190.tif 000026
【図２５】
2015011190.tif 000027
【図２６】
2015011190.tif 000028
【図２７】
2015011190.tif 000029
【図２８】
2015011190.tif 000030
【図２９】
2015011190.tif 000031
【図３０】
2015011190.tif 000032
【図３１】
2015011190.tif 000033
【図３２】
2015011190.tif 000034
【図３３】
2015011190.tif 000035
【図３４】
2015011190.tif 000036
【図３５】
2015011190.tif 000037
【図３６】
2015011190.tif 000038
【図３７】
2015011190.tif 000039
【図３８】
2015011190.tif 000040
【図３９】
2015011190.tif 000041
【図４０】
2015011190.tif 000042
【図４１】
2015011190.tif 000043
【図４２】
2015011190.tif 000044
【図４３】
2015011190.tif 000045
【図４４】
2015011190.tif 000046
【図４５】
2015011190.tif 000047